(57)【特許請求の範囲】
【請求項１】
ワイヤレス通信システムでのマルチメディアブロードキャストサービスをサポートする方法であって、
ブロードキャストデータおよびユニキャストデータを含むデータトラフィックを搬送できるキャリアを生成することと、ここにおいて前記キャリアは、既存のキャリアと後方互換性のないものであって、前記キャリアを介して送信される１つまたは複数のダウンリンクサブフレームで多重化されるブロードキャストデータおよびユニキャストデータのために、共通基準信号が１つまたは複数のサブフレーム内に含まれる一方で、前記共通基準信号はユニキャストデータが前記１つまたは複数のサブフレーム内に含まれない場合に前記１つまたは複数のサブフレーム内に含まれないキャリアタイプを備える、
前記キャリアにおける複数のサブフレームのうちの少なくとも１つのサブフレームにおいて前記ブロードキャストデータを搬送することと、
前記少なくとも１つのサブフレームに含まれる前記ユニキャストデータに少なくとも関する制御情報を前記キャリアにおいて提供することと、
前記キャリアを送信すること
を備える方法。
【請求項２】
前記キャリアを生成することは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むことをさらに備え、各ＭＢＳＦＮサブフレームは、マルチメディアブロードキャストマルチキャストサービス(ＭＢＭＳ)リソースまたは非ＭＢＭＳリソースの両方ではない少なくとも１つを備える、請求項１に記載の方法。
【請求項３】
制御情報を提供することは、クロスサブフレーム、マルチサブフレーム、またはクロスキャリアアップリンク(ＵＬ)スケジューリング情報を提供することをさらに備える、請求項２に記載の方法。
【請求項４】
マルチメディアブロードキャストマルチキャストサービス(ＭＢＭＳ)のための制御チャネルを介して、マルチキャスト制御チャネル変更通知メッセージを送信することをさらに備える、請求項１に記載の方法。
【請求項５】
前記キャリアを生成することは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むことをさらに備え、各ＭＢＳＦＮサブフレームは、前記ＭＢＳＦＮサブフレームの周波数ドメインにわたってマルチメディアブロードキャストマルチキャストサービス(ＭＢＭＳ)リソースと非ＭＢＭＳリソースとの両方を備え、制御情報を提供することは、前記制御情報を前記非ＭＢＭＳリソース内に配置することをさらに備える、請求項１に記載の方法。
【請求項６】
前記非ＭＢＭＳリソースを各々有する前記複数のＭＢＳＦＮサブフレームを含む前記キャリアを生成することは、各該当のＭＢＳＦＮサブフレーム内の前記非ＭＢＭＳリソースをローカライズすることか、各該当のＭＢＳＦＮサブフレーム内の前記非ＭＢＭＳリソースを分散することか、または両方の組合せをさらに備える、請求項５に記載の方法。
【請求項７】
前記非ＭＢＭＳリソースおよび前記ＭＢＭＳリソースを各々有する前記複数のＭＢＳＦＮサブフレームを含む前記キャリアを生成することは、前記非ＭＢＭＳリソースと前記ＭＢＭＳリソースとの間にガードバンドを含むことをさらに備える、請求項５に記載の方法。
【請求項８】
前記キャリアを生成することは、物理マルチキャストチャネル(ＰＭＣＨ)において前記ブロードキャストデータを提供することをさらに備え、制御情報を提供することは、ＰＭＣＨ帯域幅またはＰＭＣＨロケーションのうちの少なくとも１つを指示することをさらに備える、請求項５に記載の方法。
【請求項９】
前記ＰＭＣＨにおいて前記ブロードキャストデータを提供することは、固定されたロケーション、準静的なロケーション、または動的なロケーションのうちの１つにおいて、前記ＰＭＣＨを各該当のＭＢＳＦＮサブフレーム内に配置することをさらに備える、請求項８に記載の方法。
【請求項１０】
各ＰＭＣＨの前記準静的なロケーションおよび前記動的なロケーションをサブフレームごとにバックホールシグナリングを介して調整することをさらに備える、請求項９に記載の方法。
【請求項１１】
前記ＰＭＣＨ帯域幅または前記ＰＭＣＨロケーションのうちの少なくとも１つを指示することは、制御チャネルにおいて前記ＰＭＣＨ帯域幅または前記ＰＭＣＨロケーションのうちの前記少なくとも１つを指示することをさらに備える、請求項８に記載の方法。
【請求項１２】
前記キャリアを生成することは、第１のサイクリックプレフィックス(ＣＰ)および第１のトーン間隔を有する物理マルチキャストチャネル(ＰＭＣＨ)において前記ブロードキャストデータを提供することと、各ＭＢＳＦＮサブフレームの各非ＭＢＭＳリソースに第２のＣＰおよび第２のトーン間隔を提供することをさらに備え、前記第１のＣＰおよび前記第２のＣＰは、同じＣＰ値を備え、前記第１のトーン間隔および前記第２のトーン間隔は、同じトーン間隔値を備える、請求項５に記載の方法。
【請求項１３】
少なくとも１つのユーザ機器のための１セットのサブフレームに関するサイクリックプレフィックス(ＣＰ)タイプおよびトーン間隔のうちの少なくとも１つを指示することをさらに備え、前記ＣＰタイプおよび前記トーン間隔のうちの前記指示された少なくとも１つは、前記セットのサブフレームに属していないサブフレームのものとは異なる、請求項１に記載の方法。
【請求項１４】
第１のサブフレームにおいて前記ブロードキャストデータのための第１の帯域幅を決定することと、第２のサブフレームにおいて前記ブロードキャストデータのための、前記第１の帯域幅とは異なる第２の帯域幅を決定することをさらに備える、請求項１に記載の方法。
【請求項１５】
前記キャリアを生成することは、第１のサイクリックプレフィックス(ＣＰ)および第１のトーン間隔を有する物理マルチキャストチャネル(ＰＭＣＨ)において前記ブロードキャストデータを提供することと、各ＭＢＳＦＮサブフレームの各非ＭＢＭＳリソースに第２のＣＰおよび第２のトーン間隔を提供することをさらに備え、前記第１のＣＰおよび前記第２のＣＰが異なるＣＰ値を備えるか、前記第１のトーン間隔および前記第２のトーン間隔が異なるトーン間隔値を備えるか、または両方の組合せである、請求項５に記載の方法。
【請求項１６】
前記キャリアを生成することは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むことをさらに備え、少なくとも１つのＭＢＳＦＮサブフレームは、前記少なくとも１つのＭＢＳＦＮサブフレームの時間ドメインにわたってマルチメディアブロードキャストマルチキャストサービス(ＭＢＭＳ)リソースと非ＭＢＭＳリソースとの両方を備え、制御情報を提供することは、前記制御情報を前記非ＭＢＭＳリソース内に配置することをさらに備える、請求項１に記載の方法。
【請求項１７】
前記ＭＢＭＳリソースと前記非ＭＢＭＳリソースとの両方を含む前記少なくとも１つのＭＢＳＦＮサブフレームを生成することは、前記少なくとも１つのＭＢＳＦＮサブフレームが共通基準信号(ＣＲＳ)または復調基準信号(ＤＭ−ＲＳ)をさらに含む場合に生成することをさらに備える、請求項１６に記載の方法。
【請求項１８】
前記キャリアを生成することは、各ＭＢＭＳリソースによって定義された物理マルチキャストチャネル(ＰＭＣＨ)において前記ブロードキャストデータを提供することと、ここで前記ＰＭＣＨは、第１のサイクリックプレフィックス(ＣＰ)および第１のトーン間隔を有し、各対応する非ＭＢＭＳリソースに第２のＣＰおよび第２のトーン間隔を提供することをさらに備え、前記第１のＣＰおよび前記第２のＣＰ、または前記第１のトーン間隔および前記第２のトーン間隔のうちの少なくとも１つは、異なる値を備える、請求項１６に記載の方法。
【請求項１９】
前記キャリアタイプの前記キャリアを生成することは、拡張キャリアを生成することを備える、請求項１に記載の方法。
【請求項２０】
ワイヤレス通信システムでのマルチメディアブロードキャストサービスをサポートする装置であって、
少なくとも１つのプロセッサと、
前記少なくとも１つのプロセッサに結合されるメモリと、
を備え、
前記少なくとも１つのプロセッサは、
ブロードキャストデータおよびユニキャストデータを含むデータトラフィックを搬送できるキャリアを生成することと、ここにおいて前記キャリアは、既存のキャリアと後方互換性のないものであって、前記キャリアを介して送信される１つまたは複数のダウンリンクサブフレームで多重化されるブロードキャストデータおよびユニキャストデータのために、共通基準信号が１つまたは複数のサブフレーム内に含まれる一方で、前記共通基準信号はユニキャストデータが前記１つまたは複数のサブフレームに含まれない場合に前記１つまたは複数のサブフレーム内に含まれないキャリアタイプを備える、
前記キャリアにおける複数のサブフレームのうちの少なくとも１つのサブフレームにおいて前記ブロードキャストデータを搬送することと、
前記少なくとも１つのサブフレームに含まれる前記ユニキャストデータに少なくとも関する制御情報を前記キャリアにおいて提供することと、
前記キャリアを送信すること
を行うように構成される、装置。
【請求項２１】
前記キャリアを生成するように構成された前記少なくとも１つのプロセッサは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むようにさらに構成され、各ＭＢＳＦＮサブフレームは、マルチメディアブロードキャストマルチキャストサービス(ＭＢＭＳ)リソースまたは非ＭＢＭＳリソースの両方ではない少なくとも１つを備える、請求項２０に記載の装置。
【請求項２２】
制御情報を提供するように構成された前記少なくとも１つのプロセッサは、クロスサブフレーム、マルチサブフレーム、またはクロスキャリアアップリンク(ＵＬ)スケジューリング情報を提供するようにさらに構成される、請求項２１に記載の装置。
【請求項２３】
前記少なくとも１つのプロセッサは、マルチメディアブロードキャストマルチキャストサービス(ＭＢＭＳ)のための制御チャネルを介して、マルチキャスト制御チャネル変更通知メッセージを送信するようにさらに構成される、請求項２０に記載の装置。
【請求項２４】
前記キャリアを生成するように構成された前記少なくとも１つのプロセッサは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むようにさらに構成され、各ＭＢＳＦＮサブフレームは、前記ＭＢＳＦＮサブフレームの周波数ドメインにわたってマルチメディアブロードキャストマルチキャストサービス(ＭＢＭＳ)リソースと非ＭＢＭＳリソースとの両方を備え、制御情報を提供することは、前記制御情報を前記非ＭＢＭＳリソース内に配置することをさらに備える、請求項２０に記載の装置。
【請求項２５】
前記非ＭＢＭＳリソースを各々有する前記複数のＭＢＳＦＮサブフレームを含む前記キャリアを生成するように構成された前記少なくとも１つのプロセッサは、各該当のＭＢＳＦＮサブフレーム内の前記非ＭＢＭＳリソースをローカライズするか、各該当のＭＢＳＦＮサブフレーム内の前記非ＭＢＭＳリソースを分散するか、または両方の組合せを行うようにさらに構成される、請求項２４に記載の装置。
【請求項２６】
前記非ＭＢＭＳリソースおよび前記ＭＢＭＳリソースを各々有する前記複数のＭＢＳＦＮサブフレームを含む前記キャリアを生成するように構成された前記少なくとも１つのプロセッサは、前記非ＭＢＭＳリソースと前記ＭＢＭＳリソースとの間にガードバンドを含むようにさらに構成される、請求項２４に記載の装置。
【請求項２７】
前記キャリアを生成するように構成された前記少なくとも１つのプロセッサは、物理マルチキャストチャネル(ＰＭＣＨ)において前記ブロードキャストデータを提供するようにさらに構成され、制御情報を提供するように構成された前記少なくとも１つのプロセッサは、ＰＭＣＨ帯域幅またはＰＭＣＨロケーションのうちの少なくとも１つを指示するようにさらに構成される、請求項２４に記載の装置。
【請求項２８】
前記ＰＭＣＨにおいて前記ブロードキャストデータを提供するように構成された前記少なくとも１つのプロセッサは、固定されたロケーション、準静的なロケーション、または動的なロケーションのうちの１つにおいて、前記ＰＭＣＨを各該当のＭＢＳＦＮサブフレーム内に配置するようにさらに構成される、請求項２７に記載の装置。
【請求項２９】
前記少なくとも１つのプロセッサは、各ＰＭＣＨの前記準静的なロケーションおよび前記動的なロケーションをサブフレームごとにバックホールシグナリングを介して調整するようにさらに構成される、請求項２８に記載の装置。
【請求項３０】
前記ＰＭＣＨ帯域幅または前記ＰＭＣＨロケーションのうちの少なくとも１つを指示するように構成された前記少なくとも１つのプロセッサは、制御チャネルにおいて前記ＰＭＣＨ帯域幅または前記ＰＭＣＨロケーションのうちの前記少なくとも１つを指示するようにさらに構成される、請求項２７に記載の装置。
【請求項３１】
前記キャリアを生成するように構成された前記少なくとも１つのプロセッサは、第１のサイクリックプレフィックス(ＣＰ)および第１のトーン間隔を有する物理マルチキャストチャネル(ＰＭＣＨ)において前記ブロードキャストデータを提供し、各ＭＢＳＦＮサブフレームの各非ＭＢＭＳリソースに第２のＣＰおよび第２のトーン間隔を提供するようにさらに構成され、前記第１のＣＰおよび前記第２のＣＰは、同じＣＰ値を備え、前記第１のトーン間隔および前記第２のトーン間隔は、同じトーン間隔値を備える、請求項２４に記載の装置。
【請求項３２】
前記少なくとも１つのプロセッサは、少なくとも１つのユーザ機器のための１セットのサブフレームに関するサイクリックプレフィックス(ＣＰ)タイプおよびトーン間隔のうちの少なくとも１つを指示するようにさらに構成され、前記ＣＰタイプおよび前記トーン間隔のうちの前記指示された少なくとも１つは、前記セットのサブフレームに属していないサブフレームのものとは異なる、請求項２０に記載の装置。
【請求項３３】
前記少なくとも１つのプロセッサは、第１のサブフレームにおいて前記ブロードキャストデータのための第１の帯域幅を決定し、第２のサブフレームにおいて前記ブロードキャストデータのための、前記第１の帯域幅とは異なる第２の帯域幅を決定するようにさらに構成される、請求項２０に記載の装置。
【請求項３４】
前記キャリアを生成するように構成された前記少なくとも１つのプロセッサは、第１のサイクリックプレフィックス(ＣＰ)および第１のトーン間隔を有する物理マルチキャストチャネル(ＰＭＣＨ)において前記ブロードキャストデータを提供し、各ＭＢＳＦＮサブフレームの各非ＭＢＭＳリソースに第２のＣＰおよび第２のトーン間隔を提供するようにさらに構成され、前記第１のＣＰおよび前記第２のＣＰが異なるＣＰ値を備えるか、前記第１のトーン間隔および前記第２のトーン間隔が異なるトーン間隔値を備えるか、または両方の組合せである、請求項２４に記載の装置。
【請求項３５】
前記キャリアを生成するように構成された前記少なくとも１つのプロセッサは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むようにさらに構成され、少なくとも１つのＭＢＳＦＮサブフレームは、前記少なくとも１つのＭＢＳＦＮサブフレームの時間ドメインにわたってマルチメディアブロードキャストマルチキャストサービス(ＭＢＭＳ)リソースと非ＭＢＭＳリソースとの両方を備え、制御情報を提供するように構成された前記少なくとも１つのプロセッサは、前記制御情報を前記非ＭＢＭＳリソース内に配置するようにさらに構成される、請求項２０に記載の装置。
【請求項３６】
前記ＭＢＭＳリソースと前記非ＭＢＭＳリソースとの両方を含む前記少なくとも１つのＭＢＳＦＮサブフレームを生成するように構成された前記少なくとも１つのプロセッサは、前記少なくとも１つのＭＢＳＦＮサブフレームが共通基準信号(ＣＲＳ)または復調基準信号(ＤＭ−ＲＳ)を含む場合に生成するようにさらに構成される、請求項３５に記載の装置。
【請求項３７】
前記キャリアを生成するように構成された前記少なくとも１つのプロセッサは、各ＭＢＭＳリソースによって定義された物理マルチキャストチャネル(ＰＭＣＨ)において前記ブロードキャストデータを提供し、ここで、前記ＰＭＣＨは、第１のサイクリックプレフィックス(ＣＰ)および第１のトーン間隔を有し、各対応する非ＭＢＭＳリソースに第２のＣＰおよび第２のトーン間隔を提供するようにさらに構成され、前記第１のＣＰおよび前記第２のＣＰ、または前記第１のトーン間隔および前記第２のトーン間隔のうちの少なくとも１つは、異なる値を備える、請求項３５に記載の装置。
【請求項３８】
前記キャリアタイプの前記キャリアを生成するように構成された前記少なくとも１つのプロセッサは、後方互換性のあるキャリアと関連付けられた拡張キャリアを生成するようにさらに構成される、請求項２０に記載の装置。
【請求項３９】
ワイヤレス通信システムでのマルチメディアブロードキャストサービスをサポートするためにプロセッサによって実行可能なコンピュータプログラムであって、
ブロードキャストデータおよびユニキャストデータを含むデータトラフィックを搬送できるキャリアを生成することと、ここにおいて前記キャリアは、既存のキャリアと後方互換性のないものであって、前記キャリアを介して送信される１つまたは複数のダウンリンクサブフレームで多重化されるブロードキャストデータおよびユニキャストデータのために、共通基準信号が１つまたは複数のサブフレーム内に含まれる一方で、前記共通基準信号はユニキャストデータが前記１つまたは複数のサブフレームに含まれない場合に前記１つまたは複数のサブフレーム内に含まれない、キャリアタイプを備える、
前記キャリアにおける複数のサブフレームのうちの少なくとも１つのサブフレームにおいて前記ブロードキャストデータを搬送することと、
前記少なくとも１つのサブフレームに含まれる前記ユニキャストデータに少なくとも関する制御情報を前記キャリアにおいて提供することと、
前記キャリアを送信すること
を行うためのコードを備える、コンピュータプログラム。
【請求項４０】
前記キャリアを生成するための前記コードは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むためのコードをさらに備え、各ＭＢＳＦＮサブフレームは、マルチメディアブロードキャストマルチキャストサービス(ＭＢＭＳ)リソースまたは非ＭＢＭＳリソースの両方ではない少なくとも１つを備える、請求項３９に記載のコンピュータプログラム。
【請求項４１】
制御情報を提供するための前記コードは、クロスサブフレーム、マルチサブフレーム、またはクロスキャリアアップリンク(ＵＬ)スケジューリング情報を提供するためのコードをさらに備える、請求項４０に記載のコンピュータプログラム。
【請求項４２】
マルチメディアブロードキャストマルチキャストサービス(ＭＢＭＳ)のための制御チャネルを介して、マルチキャスト制御チャネル変更通知メッセージを送信するためのコードをさらに備える、請求項３９に記載のコンピュータプログラム。
【請求項４３】
前記キャリアを生成するための前記コードは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むためのコードをさらに備え、各ＭＢＳＦＮサブフレームは、前記ＭＢＳＦＮサブフレームの周波数ドメインにわたってマルチメディアブロードキャストマルチキャストサービス(ＭＢＭＳ)リソースと非ＭＢＭＳリソースとの両方を備え、制御情報を提供するためのコードは、前記制御情報を前記非ＭＢＭＳリソース内に配置するためのコードをさらに備える、請求項３９に記載のコンピュータプログラム。
【請求項４４】
前記非ＭＢＭＳリソースを各々有する前記複数のＭＢＳＦＮサブフレームを含む前記キャリアを生成するための前記コードは、各該当のＭＢＳＦＮサブフレーム内の前記非ＭＢＭＳリソースをローカライズするためのコードか、各該当のＭＢＳＦＮサブフレーム内の前記非ＭＢＭＳリソースを分散するためのコードか、または両方の組合せをさらに備える、請求項４３に記載のコンピュータプログラム。
【請求項４５】
前記非ＭＢＭＳリソースおよび前記ＭＢＭＳリソースを各々有する前記複数のＭＢＳＦＮサブフレームを含む前記キャリアを生成するための前記コードは、前記非ＭＢＭＳリソースと前記ＭＢＭＳリソースとの間にガードバンドを含むためのコードをさらに備える、請求項４３に記載のコンピュータプログラム。
【請求項４６】
前記キャリアを生成するための前記コードは、物理マルチキャストチャネル(ＰＭＣＨ)において前記ブロードキャストデータを提供するためのコードをさらに備え、制御情報を提供するためのコードは、ＰＭＣＨ帯域幅またはＰＭＣＨロケーションのうちの少なくとも１つを指示するためのコードをさらに備える、請求項４３に記載のコンピュータプログラム。
【請求項４７】
前記ＰＭＣＨにおいて前記ブロードキャストデータを提供するための前記コードは、固定されたロケーション、準静的なロケーション、または動的なロケーションのうちの１つにおいて、前記ＰＭＣＨを各該当のＭＢＳＦＮサブフレーム内に配置するためのコードをさらに備える、請求項４６に記載のコンピュータプログラム。
【請求項４８】
各ＰＭＣＨの前記準静的なロケーションおよび前記動的なロケーションをサブフレームごとにバックホールシグナリングを介して調整するためのコードをさらに備える、請求項４７に記載のコンピュータプログラム。
【請求項４９】
前記ＰＭＣＨ帯域幅または前記ＰＭＣＨロケーションのうちの少なくとも１つを指示するための前記コードは、制御チャネルにおいて前記ＰＭＣＨ帯域幅または前記ＰＭＣＨロケーションのうちの前記少なくとも１つを指示するためのコードをさらに備える、請求項４６に記載のコンピュータプログラム。
【請求項５０】
前記キャリアを生成するための前記コードは、第１のサイクリックプレフィックス(ＣＰ)および第１のトーン間隔を有する物理マルチキャストチャネル(ＰＭＣＨ)において前記ブロードキャストデータを提供するためのコードと、各ＭＢＳＦＮサブフレームの各非ＭＢＭＳリソースに第２のＣＰおよび第２のトーン間隔を提供するためのコードをさらに備え、前記第１のＣＰおよび前記第２のＣＰは、同じＣＰ値を備え、前記第１のトーン間隔および前記第２のトーン間隔は、同じトーン間隔値を備える、請求項４３に記載のコンピュータプログラム。
【請求項５１】
少なくとも１つのユーザ機器のための１セットのサブフレームに関するサイクリックプレフィックス(ＣＰ)タイプおよびトーン間隔のうちの少なくとも１つを指示するためのコードをさらに備え、前記ＣＰタイプおよび前記トーン間隔のうちの前記指示された少なくとも１つは、前記セットのサブフレームに属していないサブフレームのものとは異なる、請求項３９に記載のコンピュータプログラム。
【請求項５２】
第１のサブフレームにおいて前記ブロードキャストデータのための第１の帯域幅を決定し、第２のサブフレームにおいて前記ブロードキャストデータのための、前記第１の帯域幅とは異なる第２の帯域幅を決定するためのコードをさらに備える、請求項３９に記載のコンピュータプログラム。
【請求項５３】
前記キャリアを生成するための前記コードは、第１のサイクリックプレフィックス(ＣＰ)および第１のトーン間隔を有する物理マルチキャストチャネル(ＰＭＣＨ)において前記ブロードキャストデータを提供するためのコードと、各ＭＢＳＦＮサブフレームの各非ＭＢＭＳリソースに第２のＣＰおよび第２のトーン間隔を提供するためのコードをさらに備え、前記第１のＣＰおよび前記第２のＣＰが異なるＣＰ値を備えるか、前記第１のトーン間隔および前記第２のトーン間隔が異なるトーン間隔値を備えるか、または両方の組合せである、請求項４３に記載のコンピュータプログラム。
【請求項５４】
前記キャリアを生成するための前記コードは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むためのコードをさらに備え、少なくとも１つのＭＢＳＦＮサブフレームは、前記少なくとも１つのＭＢＳＦＮサブフレームの時間ドメインにわたってマルチメディアブロードキャストマルチキャストサービス(ＭＢＭＳ)リソースと非ＭＢＭＳリソースとの両方を備え、制御情報を提供するためのコードは、前記制御情報を前記非ＭＢＭＳリソース内に配置するためのコードをさらに備える、請求項３９に記載のコンピュータプログラム。
【請求項５５】
前記ＭＢＭＳリソースと前記非ＭＢＭＳリソースとの両方を含む前記少なくとも１つのＭＢＳＦＮサブフレームを生成するための前記コードは、前記少なくとも１つのＭＢＳＦＮサブフレームが共通基準信号(ＣＲＳ)または復調基準信号(ＤＭ−ＲＳ)をさらに含む場合に生成するためのコードをさらに備える、請求項５４に記載のコンピュータプログラム。
【請求項５６】
前記キャリアを生成するためのコードは、各ＭＢＭＳリソースによって定義された物理マルチキャストチャネル(ＰＭＣＨ)において前記ブロードキャストデータを提供するためのコードと、ここで、前記ＰＭＣＨは、第１のサイクリックプレフィックス(ＣＰ)および第１のトーン間隔を有し、各対応する非ＭＢＭＳリソースに第２のＣＰおよび第２のトーン間隔を提供するためのコードをさらに備え、前記第１のＣＰおよび前記第２のＣＰ、または前記第１のトーン間隔および前記第２のトーン間隔のうちの少なくとも１つは、異なる値を備える、請求項５４に記載のコンピュータプログラム。
【請求項５７】
前記キャリアタイプの前記キャリアを生成するための前記コードは、後方互換性のあるキャリアと関連付けられた拡張キャリアを生成するためのコードをさらに備える、請求項３９に記載のコンピュータプログラム。
【請求項５８】
ワイヤレス通信システムでのマルチメディアブロードキャストサービスをサポートするための装置であって、
ブロードキャストデータおよびユニキャストデータを含むデータトラフィックを搬送できるキャリアを生成するための手段と、ここにおいて前記キャリアは、既存のキャリアと後方互換性のないものであって、前記キャリアを介して送信される１つまたは複数のダウンリンクサブフレームで多重化されるブロードキャストデータおよびユニキャストデータのために、共通基準信号が１つまたは複数のサブフレーム内に含まれる一方で、前記共通基準信号はユニキャストデータが前記１つまたは複数のサブフレームに含まれない場合に前記１つまたは複数のサブフレーム内に含まれないキャリアタイプを備える、
前記キャリアにおける複数のサブフレームのうちの少なくとも１つのサブフレームにおいて前記ブロードキャストデータを搬送するための手段と、
前記少なくとも１つのサブフレームに含まれる前記ユニキャストデータに少なくとも関する制御情報を前記キャリアにおいて提供するための手段と、
前記キャリアを送信するための手段
を備える装置。
【請求項５９】
前記キャリアを生成するための前記手段は、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含み、各ＭＢＳＦＮサブフレームは、マルチメディアブロードキャストマルチキャストサービス(ＭＢＭＳ)リソースまたは非ＭＢＭＳリソースの両方ではない少なくとも１つを備える、請求項５８に記載の装置。
【請求項６０】
制御情報を提供するための前記手段は、クロスサブフレーム、マルチサブフレーム、またはクロスキャリアアップリンク(ＵＬ)スケジューリング情報を提供する、請求項５９に記載の装置。
【請求項６１】
送信するための前記手段は、マルチメディアブロードキャストマルチキャストサービス(ＭＢＭＳ)のための制御チャネルを介して、ＭＣＣＨ変更通知メッセージを送信する、請求項５８に記載の装置。
【請求項６２】
前記キャリアを生成するための前記手段は、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含み、各ＭＢＳＦＮサブフレームは、前記ＭＢＳＦＮサブフレームの周波数ドメインにわたってマルチメディアブロードキャストマルチキャストサービス(ＭＢＭＳ)リソースと非ＭＢＭＳリソースとの両方を備え、前記制御情報は、前記制御情報を前記非ＭＢＭＳリソース内に配置するための情報を含む、請求項５８に記載の装置。
【請求項６３】
前記キャリアを生成するための前記手段は、各該当のＭＢＳＦＮサブフレーム内の前記非ＭＢＭＳリソースをローカライズするか、各該当のＭＢＳＦＮサブフレーム内の前記非ＭＢＭＳリソースを分散するか、または両方の組合せである、請求項６２に記載の装置。
【請求項６４】
前記キャリアを生成するための前記手段は、前記非ＭＢＭＳリソースと前記ＭＢＭＳリソースとの間にガードバンドを含む、請求項６２に記載の装置。
【請求項６５】
前記キャリアを生成するための前記手段は、物理マルチキャストチャネル(ＰＭＣＨ)において前記ブロードキャストデータを提供し、前記制御情報は、ＰＭＣＨ帯域幅またはＰＭＣＨロケーションのうちの少なくとも１つを指示するための情報を含む、請求項６２に記載の装置。
【請求項６６】
前記キャリアを生成するための前記手段は、固定されたロケーション、準静的なロケーション、または動的なロケーションのうちの１つにおいて、前記ＰＭＣＨを各該当のＭＢＳＦＮサブフレーム内に配置する、請求項６５に記載の装置。
【請求項６７】
前記キャリアを生成するための前記手段は、各ＰＭＣＨの前記準静的なロケーションおよび前記動的なロケーションをサブフレームごとにバックホールシグナリングを介して調整する、請求項６６に記載の装置。
【請求項６８】
前記制御情報を提供するための手段は、制御チャネルにおいて前記ＰＭＣＨ帯域幅または前記ＰＭＣＨロケーションのうちの少なくとも１つを指示する、請求項６５に記載の装置。
【請求項６９】
前記キャリアを生成するための前記手段は、第１のサイクリックプレフィックス(ＣＰ)および第１のトーン間隔を有する物理マルチキャストチャネル(ＰＭＣＨ)において前記ブロードキャストデータを提供し、各ＭＢＳＦＮサブフレームの各非ＭＢＭＳリソースに第２のＣＰおよび第２のトーン間隔を提供し、前記第１のＣＰおよび前記第２のＣＰは、同じＣＰ値を備え、前記第１のトーン間隔および前記第２のトーン間隔は、同じトーン間隔値を備える、請求項６２に記載の装置。
【請求項７０】
前記キャリアを生成するための前記手段は、少なくとも１つのユーザ機器のための１セットのサブフレームに関するサイクリックプレフィックス(ＣＰ)タイプおよびトーン間隔のうちの少なくとも１つを指示し、前記ＣＰタイプおよび前記トーン間隔のうちの前記指示された少なくとも１つは、前記セットのサブフレームに属していないサブフレームのものとは異なる、請求項５８に記載の装置。
【請求項７１】
前記キャリアを生成するための前記手段は、第１のサブフレームにおいて前記ブロードキャストデータのための第１の帯域幅を決定し、第２のサブフレームにおいて前記ブロードキャストデータのための、前記第１の帯域幅とは異なる第２の帯域幅を決定する、請求項５８に記載の装置。
【請求項７２】
前記キャリアを生成するための前記手段は、第１のサイクリックプレフィックス(ＣＰ)および第１のトーン間隔を有する物理マルチキャストチャネル(ＰＭＣＨ)において前記ブロードキャストデータを提供し、各ＭＢＳＦＮサブフレームの各非ＭＢＭＳリソースに第２のＣＰおよび第２のトーン間隔を提供し、前記第１のＣＰおよび前記第２のＣＰが異なるＣＰ値を備えるか、前記第１のトーン間隔および前記第２のトーン間隔が異なるトーン間隔値を備えるか、または両方の組合せである、請求項６２に記載の装置。
【請求項７３】
前記キャリアを生成するための前記手段は、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含み、少なくとも１つのＭＢＳＦＮサブフレームは、前記少なくとも１つのＭＢＳＦＮサブフレームの時間ドメインにわたってマルチメディアブロードキャストマルチキャストサービス(ＭＢＭＳ)リソースと非ＭＢＭＳリソースとの両方を備え、前記制御情報は、前記制御情報を前記非ＭＢＭＳリソース内に配置するための情報を含む、請求項５８に記載の装置。
【請求項７４】
生成するための前記手段は、前記ＭＢＭＳリソースと前記非ＭＢＭＳリソースとの両方を含む前記少なくとも１つのＭＢＳＦＮサブフレームを、前記少なくとも１つのＭＢＳＦＮサブフレームが共通基準信号(ＣＲＳ)または復調基準信号(ＤＭ−ＲＳ)をさらに含む場合に生成する、請求項７３に記載の装置。
【請求項７５】
前記キャリアを生成するための前記手段は、各ＭＢＭＳリソースによって定義された物理マルチキャストチャネル(ＰＭＣＨ)において前記ブロードキャストデータを提供し、ここで、前記ＰＭＣＨは、第１のサイクリックプレフィックス(ＣＰ)および第１のトーン間隔を有し、各対応する非ＭＢＭＳリソースに第２のＣＰおよび第２のトーン間隔を提供し、前記第１のＣＰおよび前記第２のＣＰ、または前記第１のトーン間隔および前記第２のトーン間隔のうちの少なくとも１つは、異なる値を備える、請求項７３に記載の装置。
【請求項７６】
前記キャリアを生成するための手段は、後方互換性のあるキャリアと関連付けられた拡張キャリアを生成する、請求項５８に記載の装置。
【発明の詳細な説明】
【関連出願】
【０００１】
米国特許法１１９条に基づく優先権の主張
[0001]  本特許出願は、本明細書に参照により明示的に組み込まれ、ここでの譲受人に対して譲渡され、２０１２年５月３日に出願された「Apparatus and Methods of MBMS Support in New Carrier Type in LTE」と題された仮出願第６１／６４２３３４号、および２０１２年１２月６日に出願された「Apparatus and Methods of MBMS Support in New Carrier Type in LTE」と題された仮出願第６１／７３４３１１号の優先権を主張する。
【技術分野】
【０００２】
[0002]  本願の態様は、一般に、ワイヤレス通信システムに関し、特に、ＬＴＥ（登録商標）において、拡張キャリア等のような新しいキャリアタイプにおけるマルチメディアブロードキャスト／マルチキャストサービス(ＭＢＭＳ：Multimedia Broadcast/Multicast Service)をサポートすることに関する。
【背景技術】
【０００３】
[0003]  ワイヤレス通信ネットワークは、音声、ビデオ、パケットデータ、メッセージング、ブロードキャスト等のような、様々な通信サービスを提供するために広く展開されている。これらワイヤレスネットワークは、利用可能なネットワークリソースを共有することによって複数のユーザをサポートできる多元接続ネットワークであり得る。このような多元接続ネットワークの例は、符号分割多元接続(ＣＤＭＡ：Code Division Multiple Access)ネットワーク、時分割多元接続(ＴＤＭＡ：Time Division Multiple Access)ネットワーク、周波数分割多元接続(ＦＤＭＡ：Frequency Division Multiple Access)ネットワーク、直交ＦＤＭＡ(ＯＦＤＭＡ：Orthogonal FDMA)ネットワーク、および単一キャリアＦＤＭＡ(ＳＣ−ＦＤＭＡ：Single-Carrier FDMA)ネットワークを含む。
【０００４】
[0004]  ワイヤレス通信ネットワークは、多数のユーザ機器(ＵＥ：user equipment)のための通信をサポートできる多数の基地局を含み得る。ＵＥは、ダウンリンクおよびアップリンクを介して基地局と通信し得る。ダウンリンク(すなわち順方向リンク)は、基地局からＵＥへの通信リンクを指し、アップリンク(すなわち逆方向リンク)は、ＵＥから基地局への通信リンクを指す。一例において、基地局は、ＵＥへ多数のダウンリンクおよび／またはアップリンクリソースを割当できる。さらに、基地局は、通信スループットを改善するために、複数の物理アンテナまたは仮想アンテナ、あるいは他の無線リソースを使用してダウンリンクまたはアップリンク上で基地局と通信するためのマルチキャリアをＵＥに確立させることができる。
【０００５】
[0005]  いくつかのシステムにおいて、基地局は、ＵＥにマルチメディアサービスおよびユニキャストサービスを提供し得る。例えば、サービスは、マルチメディアブロードキャスト／マルチキャストサービス(ＭＢＭＳ：Multimedia Broadcast/Multicast Service)を含む。ＭＢＭＳでは、無線フレームの複数のサブフレーム、例えば単一周波数ネットワーク上マルチキャスト／ブロードキャスト(ＭＢＳＦＮ：Multicast/Broadcast over Single Frequency Network)サブフレームは、ブロードキャストおよび／またはユニキャストサービスをサポートするように割当てられ得る。加えて、この無線フレームは、サービスを提供するために送信インターバルにわたって繰り返す複数の無線フレームのセットの一部分であり得る。ＭＢＭＳの現在の具現化では、ＭＢＳＦＮサブフレームが、制御情報を提供するための非ＭＢＭＳ領域、並びにデータトラフィックを搬送するためのＭＢＭＳ領域で構成されることができる。特に、現在の具現化では、サブフレームの非ＭＢＭＳ領域が第一にいくつかのＯＦＤＭシンボルを含むことができ、従ってＭＢＭＳ領域は、非ＭＢＭＳ領域に使用されていない複数のＯＦＤＭシンボルとして定義される。
【０００６】
[0006]  しかしながら、問題なことに、ＬＴＥ Ｒｅｌｅａｓｅ １２(Ｒｅｌ−１２)で定義され拡張キャリアとも呼ばれる新しいキャリアタイプは、ＭＢＳＦＮサブフレームの少なくともＭＢＭＳ領域、例えばデータトラフィック領域、に及ぶ(また、レガシ(legacy)非ＭＢＭＳ領域がないならば、非ＭＢＭＳ領域に及ぶこともある)強化された制御チャネルを包含し得る。
【０００７】
[0007]  従って、ブロードキャストサービスおよびユニキャストサービスをサポートするためのメカニズムがＬＴＥの新しいキャリアタイプに求められている。
【発明の概要】
【０００８】
[0008]  １つまたは複数の態様の基本的理解を提供するための簡略化された概要を以下に提示する。この概要は、全ての意図された態様の広範な要旨ではなく、全ての態様のキーとなるまたは重要な要素を特定することも、任意のまたは全ての態様の範囲を示すことも意図しない。その唯一の目的は、後に提示されるより詳細な説明への前置きとして、簡潔化された形態で、１つまたは複数の態様のうちのいくつかの概念を提示することである。
【０００９】
[0009]  ワイヤレス通信システムでのマルチメディアブロードキャストサービスをサポートする方法が提供される。方法は、ブロードキャストデータおよびユニキャストデータを含むデータトラフィックを搬送できるキャリアを生成することを含み、ここにおいてキャリアは、既存のキャリアと後方互換性のないキャリアタイプを備える。さらに、この方法は、複数のサブフレームのうちの少なくとも１つのサブフレームにおいてブロードキャストデータを送信することを含む。加えて、この方法は、少なくとも１つのサブフレームと関連付けられた少なくともユニキャストデータにおける制御情報を提供することと、キャリアを送信することを含む。
【００１０】
[0010]  ワイヤレス通信システムでのマルチメディアブロードキャストサービスをサポートするための装置が提供される。この装置は、ブロードキャストデータおよびユニキャストデータを含むデータトラフィックを搬送できるキャリアを生成するように構成されるプロセッサを含み、ここにおいてキャリアは、既存のキャリアと後方互換性のないキャリアタイプを備える。さらに、このプロセッサは、複数のサブフレームのうちの少なくとも１つのサブフレームにおいてブロードキャストデータを送信するように構成される。加えて、このプロセッサは、少なくとも１つのサブフレームと関連付けられた少なくともユニキャストデータに関する制御情報を提供し、キャリアを送信するように構成される。
【００１１】
[0011]  他の態様において、コンピュータ可読媒体は、ブロードキャストデータおよびユニキャストデータを含むデータトラフィックを搬送できるキャリアを生成するための機械実行可能コードを含むことができ、ここにおいてキャリアは、既存のキャリアと後方互換性のないキャリアタイプを備える。このコードは、複数のサブフレームのうちの少なくとも１つのサブフレームにおいてブロードキャストデータを送信するように実行可能であり得る。さらに、このコードは、少なくとも１つのサブフレームと関連付けられた少なくともユニキャストデータに関する制御情報を提供し、キャリアを送信するように実行可能であり得る。
【００１２】
[0012]  さらに他の態様において、ワイヤレス通信システムでのマルチメディアブロードキャストサービスをサポートするための装置は、ブロードキャストデータおよびユニキャストデータを含むデータトラフィックを搬送できるキャリアを生成するための手段を含み、ここにおいてキャリアは、既存のキャリアと後方互換性のないキャリアタイプを備える。この装置は、複数のサブフレームのうちの少なくとも１つのサブフレームにおいてブロードキャストデータを送信するための手段を含む。さらに、この装置は、少なくとも１つのサブフレームと関連付けられた少なくともユニキャストデータに関する制御情報を提供するための手段と、キャリアを送信するための手段を含む。
【００１３】
[0013]  本開示のこれらおよび他の態様は、以下に続く詳細な説明の考察で、より完全に理解されるであろう。
【図面の簡単な説明】
【００１４】
[0014]  開示された態様は、以下に添付される図面に関連して説明され、開示された態様を制限するためではなく例示するために提供され、ここにおいて名称のようなものは、要素のようなものを意味する。
【図１】テレコミュニケーションシステムの例を概念的に示すブロック図である。
【図２】テレコミュニケーションシステムにおけるダウンリンクフレーム構造の例を概念的に示すブロック図である。
【図３】本開示の一態様に従って構成された基地局／ｅＮＢおよびＵＥの設計を概念的に示すブロック図である。
【図４Ａ】連続的なキャリアアグリゲーションタイプを開示する。
【図４Ｂ】非連続的なキャリアアグリゲーションタイプを開示する。
【図５】ＭＡＣレイヤデータアグリゲーションを開示する。
【図６】マルチキャリア構成において無線リンクを制御するための方法論を示すブロック図である。
【図７】複数の強化された制御チャネル設計に関するリソース割当の例のブロック図である。
【図８】ブロードキャストサービスおよびユニキャストサービスをサポートする新しいキャリアタイプを生成するように構成された基地局を含む一態様のワイヤレス通信システムの概略図である。
【図９】異なるＭＢＳＦＮサブフレーム間のＭＢＭＳおよび非ＭＢＭＳリソースに関する一態様のＴＤＭベース区分のブロック図である。
【図１０】アップリンクスケジューリングのためのサポートを含む、異なるＭＢＳＦＮサブフレーム間のＭＢＭＳおよび非ＭＢＭＳリソースに関する他の態様のＴＤＭベース区分のブロック図である。
【図１１】ＭＢＳＦＮサブフレーム内のＭＢＭＳおよび非ＭＢＭＳリソースに関する一態様のＦＤＭベース混合のブロック図である。
【図１２】ＭＢＳＦＮサブフレーム内のＭＢＭＳおよび非ＭＢＭＳリソースに関する他の態様のＦＤＭベース混合のブロック図である。
【図１３】ＭＢＳＦＮサブフレーム内のＭＢＭＳおよび非ＭＢＭＳリソースに関する他の態様のＦＤＭベース混合のブロック図である。
【図１４】ＣＲＳに基づいたＭＢＳＦＮサブフレーム内のＭＢＭＳおよび非ＭＢＭＳリソースに関する一態様のＴＤＭベース混合のブロック図である。
【図１５】ＤＭ−ＲＳに基づいたＭＢＳＦＮサブフレーム内のＭＢＭＳおよび非ＭＢＭＳリソースに関する一態様のＴＤＭベース混合のブロック図である。
【図１６】一態様のワイヤレス通信の方法のフローチャートである。
【図１７】ワイヤレス通信の方法の一態様のフローチャートである。
【図１８】例えば、図１の基地局で具現化または利用され得るワイヤレス通信装置の一部分のブロック図表示である。
【図１９】例えば、図１のユーザ機器で具現化または使用され得るワイヤレス通信装置の一部分のブロック図表示である。
【発明を実施するための形態】
【００１５】
詳細な説明
[0035]  添付された図面に関連して、以下に述べられる詳細な説明は、様々な構成の説明として意図されるものであり、本明細書に説明される概念が実現され得る構成のみを表すように意図されるものではない。詳細な説明は、様々な概念の完全な理解を提供する目的のための特定の詳細を含む。しかしながら、これら概念がこれら特定の詳細なしで実施され得ることは、当業者にとって明らかであろう。いくつかの事例では、周知の構造およびコンポーネントが、このような概念をあいまいにするのを避けるために、ブロック図形式で示されている。
【００１６】
[0036]  本明細書で説明される技法は、ＣＤＭＡ、ＴＤＭＡ、ＦＤＭＡ、ＯＦＤＭＡ、ＳＣ−ＦＤＭＡ等のような様々なワイヤレス通信ネットワークおよび他のネットワークに使用され得る。「ネットワーク」および「システム」という用語は、区別なく(interchangeably)使用されることが多い。ＣＤＭＡネットワークは、ユニバーサル地上無線アクセス(ＵＴＲＡ：Universal Terrestrial Radio Access)、ｃｄｍａ２０００等のような無線技術を実現し得る。ＵＴＲＡは、広帯域ＣＤＭＡ(ＷＣＤＭＡ(登録商標))および他のＣＤＭＡの変形を含む。ＣＤＭＡ２０００は、ＩＳ−２０００規格、ＩＳ−９５規格、およびＩＳ−８５６規格をカバーする。ＴＤＭＡネットワークは、グローバル・システム・フォー・モバイル・コミュニケーションズ(ＧＳＭ(登録商標))等のような無線技術を実現し得る。ＯＦＤＭＡネットワークは、発展型ＵＴＲＡ(Ｅ−ＵＴＲＡ：Evolved UTRA)、ウルトラモバイル帯域幅(ＵＭＢ：Ultra Mobile Bandwidth)、ＩＥＥＥ８０２．１１(Ｗｉ-Ｆｉ)、ＩＥＥＥ８０２．１６(ＷｉＭａｘ)、ＩＥＥＥ８０２．２０、Ｆｌａｓｈ−ＯＦＤＭ等のような無線技術を実現し得る。ＵＴＲＡおよびＥ−ＵＴＲＡは、ユニバーサルモバイルテレコミュニケーションシステム(ＵＭＴＳ)の一部分である。３ＧＰＰ（登録商標）ロングタームエボリューション(ＬＴＥ)およびＬＴＥアドバンスト(ＬＴＥ−Ａ)は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」(３ＧＰＰ)と称される団体からの文書の中で説明されている。ｃｄｍａ２０００およびＵＭＢは、「第３世代パートナーシッププロジェクト２」(３ＧＰＰ２)と称される団体からの文書の中で説明されている。本明細書で説明される技法は、上述されたワイヤレスネットワークおよびワイヤレス技術、並びに、他のワイヤレスネットワークおよびワイヤレス技術に対して使用され得る。明瞭さのために、技法の特定の態様は、ＬＴＥに関して以下に説明され、ＬＴＥ用語が以下の説明の大部分で使用される。
【００１７】
[0037]  図１は、ＬＴＥネットワークであり得る無線通信ネットワーク１００を示す。ワイヤレスネットワーク１００は多数の発展型ノードＢ(ｅＮＢ)１１０および他のネットワークエンティティを含み得る。ｅＮＢはユーザ機器(ＵＥ)と通信する局であることができ、基地局、ノードＢ、アクセスポイント等とも呼ばれ得る。各ｅＮＢ １１０は特定の地理的エリアに通信カバレッジを提供し得る。３ＧＰＰにおいて、「セル」という用語は、この用語が使用されるコンテキストに依存して、このカバレッジエリアにサービングするｅＮＢおよび／またはｅＮＢサブシステムのカバレッジエリアを指すことができる。
【００１８】
[0038]  ｅＮＢはマクロセル、ピコセル、フェムトセル、および／または、他のタイプのセルに通信カバレッジを提供し得る。マクロセルは比較的大きな地理的エリア(例えば、半径数キロ)をカバーし、サービスに加入しているＵＥによる無制限アクセスを認め得る。ピコセルは比較的小さい地理的エリアをカバーし、サービスに加入しているＵＥによる無制限のクセスを認め得る。フェムトセルは比較的小さい地理的エリア(例えば住宅)をカバーし、フェムトセルとの関連を有するＵＥ(例えば、限定加入者グループ(ＣＳＧ：Closed Subscriber Group)におけるＵＥ、住宅内のユーザに関するＵＥ等)による制限されたアクセスを認め得る。マクロセルのためのｅＮＢはマクロｅＮＢと呼ばれ得る。ピコセルのためのｅＮＢはピコｅＮＢと呼ばれ得る。フェムトセルのためのｅＮＢはフェムトｅＮＢまたはホームｅＮＢと呼ばれ得る。図１に示される例では、ｅＮＢ １１０ａ、１１０ｂ、および１１０ｃがそれぞれマクロセル１０２ａ、１０２ｂ、および１０２ｃのためのマクロｅＮＢであり得る。ｅＮＢ １１０ｘはピコセル１０２ｘのためのピコｅＮＢであることができ、ＵＥ１２０ｘにサービングする。ｅＮＢ １１０ｙおよび１１０ｚはそれぞれフェムトセル１０２ｙおよび１０２ｚのためのフェムトｅＮＢであり得る。ｅＮＢは１つまたは複数の(例えば、３つの)セルをサポートし得る。
【００１９】
[0039]  ワイヤレスネットワーク１００はまた、リレー局を含み得る。リレー局は、アップストリーム局(例えばｅＮＢまたはＵＥ)からのデータの送信および／またはその他の情報を受信してダウンストリーム局(例えばｅＮＢまたはＵＥ)にデータの送信および／またはその他の情報を送る局である。リレー局はまた、他のＵＥのための送信を中継するＵＥであり得る。図１に示される例で、リレー局１１０ｒは、ｅＮＢ １１０ａとＵＥ １２０ｒとの間の通信を容易にするために、ｅＮＢ １１０ａおよびＵＥ １２０ｒと通信し得る。リレー局はリレーｅＮＢ、リレー等とも呼ばれ得る。
【００２０】
[0040]  ワイヤレスネットワーク１００は、例えば、マクロｅＮＢ、ピコｅＮＢ、フェムトｅＮＢ、リレー等の異なるタイプのｅＮＢを含む異種ネットワークであり得る。これら異なるタイプのｅＮＢはワイヤレスネットワーク１００において異なる送信電力レベル、異なるカバレッジエリア、および干渉に対する異なる影響を有し得る。例えば、マクロｅＮＢが高い送信電力レベル(例えば、２０ワット)を有し得るのに対し、ピコｅＮＢ、フェムトｅＮＢおよびリレーがより低い送信電力レベル(例えば、１ワット)を有し得る。
【００２１】
[0041]  ワイヤレスネットワーク１００は同期動作または非同期動作をサポートし得る。同期動作のために、これらｅＮＢは同様のフレームタイミングを有することができ、異なるｅＮＢからの送信が時間的にほぼ揃えられることがある。非同期動作のために、これらｅＮＢは異なるフレームタイミングを有することができ、異なるｅＮＢからの送信が時間的に揃えられないことがある。本明細において説明される技法は、同期動作と非同期動作の両方のために使用され得る。
【００２２】
[0042]  ネットワークコントローラ１３０は１セットのｅＮＢに結合してこれらｅＮＢのための協調(coordination)および制御(control)を提供し得る。ネットワークコントローラ１３０はバックホールを介してｅＮＢ １１０と通信し得る。ｅＮＢ １１０はまた、例えば直接的あるいはワイヤレスや有線バックホールを介して間接的に相互に通信し得る。
【００２３】
[0043]  複数のＵＥ １２０はワイヤレスネットワーク１００全体にわたって分散されることができ、各ＵＥは定置式または移動式であり得る。ＵＥは、デバイス、端末、モバイル局、加入者ユニット、局等とも呼ばれ得る。ＵＥは、セルラフォン、スマートフォン、パーソナルデジタルアシスタント(ＰＤＡ)、ワイヤレスモデム(または他の繋がれたデバイス)、ワイヤレス通信デバイス、ハンドヘルドデバイス、ラップトップコンピュータ、タブレットまたはノートブックコンピュータ、コードレスフォン、ワイヤレスローカルループ(ＷＬＬ)局等であり得る。ＵＥは、マクロｅＮＢ、ピコｅＮＢ、フェムトｅＮＢ、リレー等と通信し得る。図１で、両矢印付きの実線は、ＵＥとこのＵＥにダウンリンクおよび／またはアップリンクでサービングするように指定されたｅＮＢであるサービングｅＮＢとの間の所望の送信を示す。両矢印付きの点線は、ＵＥとｅＮＢとの間で潜在的に干渉する送信を示す。
【００２４】
[0044]  ＬＴＥはダウンリンク上で直交周波数分割多重(ＯＦＤＭ)を利用し、アップリンク上で単一キャリア周波数分割多重(ＳＣ−ＦＤＭ：single-carrier frequency division multiplexing)を利用する。ＯＦＤＭおよびＳＣ−ＦＤＭは、一般に、トーン、ビン等とも呼ばれる複数(Ｋ個)の直交サブキャリアにシステム帯域幅を分割する。各サブキャリアはデータで変調され得る。一般に、変調シンボルは周波数領域においてＯＦＤＭや同様の多重化方式で、並びに時間ドメインにおいてＳＣ−ＦＤＭや同様の多重化方式で送られる。隣接するサブキャリア間のスペーシングは固定され、サブキャリアの合計数(Ｋ個)はシステム帯域幅に依存し得る。例えば、Ｋは１．２５、２．５、５、１０、または２０メガヘルツ(ＭＨｚ)のシステム帯域幅に対して１２８、２５６、５１２、１０２４、または２０４８にそれぞれ等しくなり得る。システム帯域幅はまた、複数のサブバンドに区分され得る。例えば、１つのサブバンドは１．０８ＭＨｚをカバーし、１、２、４、８、または１６個のサブバンドがそれぞれ１．２５、２．５、５、１０、または２０ＭＨｚのシステム帯域幅に対して存在し得る。
【００２５】
[0045]  図２は、ＬＴＥにおいて使用されるダウンリンクフレーム構造２００を示す。ダウンリンクのための送信タイムラインは例えば無線フレーム２０２のような複数ユニットの無線フレームに区分され得る。各無線フレームは所定の持続時間(例えば１０ミリ秒(ｍｓ))を有することができ、０〜９のインデクスで例えばサブフレーム０ ２０４のような１０個のサブフレームに区分され得る。各サブフレームは、例えばスロット０  ２０６およびスロット１ ２０８のような、２つのスロットを含み得る。各無線フレームは、従って０〜１９のインデックスを有する２０個のスロットを含み得る。各スロットは、Ｌ個のシンボル期間、例えばノーマルなサイクリックプレフィックスのための７個のシンボル期間(図２に示されるような)、または拡張されたサイクリックプレフィックスのための６個のシンボル期間を含み得る。各サブフレームにおける２Ｌ個のシンボル期間は０〜２Ｌ−１のインデックスに割当てられ得る。利用可能な時間周波数リソースは複数のリソースブロックに区分され得る。各リソースブロックは１つのスロットにおけるＮ個のサブキャリア(例えば１２個のサブキャリア)をカバーし得る。
【００２６】
[0046]  ＬＴＥでは、ｅＮＢがｅＮＢにおけるセルごとに一次同期信号(ＰＳＳ：primary synchronization signal)および二次同期信号(ＳＳＳ：secondary synchronization signal)を送り得る。これら一次および二次同期信号は、図２に示されるように、各無線フレームのサブフレーム０および５の各々内でノーマルなサイクリックプレフィックスをもつシンボル期間６および５においてそれぞれ送られ得る。これら同期信号は、セルの検出および捕捉のために複数のＵＥによって使用され得る。ｅＮＢは物理ブロードキャストチャネル(ＰＢＣＨ：Physical Broadcast Channel)をサブフレーム０のスロット１内のシンボル期間０〜３において送り得る。ＰＢＣＨは特定のシステム情報を搬送し得る。
【００２７】
[0047]  ｅＮＢは各サブフレームの第１のシンボル期間の一部において物理制御フォーマットインジケータチャネル(ＰＣＦＩＣＨ：Physical Control Format Indicator Channel)を送り得るが、第１のシンボル期間全体が図２に示される。ＰＣＦＩＣＨは、制御チャネルに使用されるシンボル期間の数(Ｍ)を伝達し、ここで、Ｍは１、２、または３に等しいことができ、サブフレームからサブフレームへ変わり得る。Ｍはまた、例えば１０より少ないリソースブロックを有する小さなシステム帯域幅について４に等しいことができる。図２に示される例では、Ｍ＝３である。ｅＮＢは、各サブフレーム(図２でのＭ＝３)の最初のＭ個のシンボル期間において物理ハイブリッド自動再送／要求(ＨＡＲＱ)インジケータチャネル(ＰＨＩＣＨ：Physical hybrid automatic repeat/request (HARQ) Indicator Channel Indicator Channel)および物理ダウンリンク制御チャネル(ＰＤＣＣＨ：Physical Downlink Control Channel)を送り得る。ＰＨＩＣＨは、ハイブリッド自動再送(ＨＡＲＱ)をサポートするための情報を搬送し得る。ＰＤＣＣＨは、ＵＥに対するリソース割当についての情報、およびダウンリンクチャネルのための制御情報を搬送し得る。図２における最初のシンボル期間に示されないが、ＰＤＣＣＨおよびＰＨＩＣＨが、最初のシンボル期間に含まれることも分かる。同様に、ＰＨＩＣＨおよびＰＤＣＣＨは２番目および３番目のシンボル期間の両方にもあるが、図２においてそのように示されない。ｅＮＢは、各サブフレームの残りのシンボル期間において物理ダウンリンク共有チャネル(ＰＤＳＣＨ：Physical Downlink Shared Channel)を送り得る。ＰＤＳＣＨは、ダウンリンク上のデータ送信のためにスケジューリングされたＵＥのためのデータを搬送し得る。様々な信号およびチャネルがＬＴＥ構成に対応できる。
【００２８】
[0048]  ｅＮＢは、このｅＮＢによって使用されるシステム帯域幅の中心(例えば、中心１．０８ＭＨｚ)においてＰＳＳ、ＳＳＳ、およびＰＢＣＨを送り得る。ｅＮＢは、これらチャネルが送られる各シンボル期間において、システム帯域幅全体にわたるＰＣＦＩＣＨおよびＰＨＩＣＨを送り得る。ｅＮＢは、システム帯域幅の特定部分において複数グループのＵＥにＰＤＣＣＨを送り得る。ｅＮＢは、システム帯域幅の特定部分で、複数の特定ＵＥにＰＤＳＣＨを送り得る。ｅＮＢは、ＰＳＳ、ＳＳＳ、ＰＢＣＨ、ＰＣＦＩＣＨ、およびＰＨＩＣＨを全てのＵＥにブロードキャスト方式で送り、ＰＤＣＣＨを複数の特定ＵＥにユニキャスト方式で送り、またＰＤＳＣＨを複数の特定ＵＥにユニキャスト方式で送り得る。
【００２９】
[0049]  多数のリソースエレメントが各シンボル期間において利用可能であり得る。各リソースエレメントは１つのシンボル期間において１つのサブキャリアをカバーでき、実数または複素数値であり得る１つの変調シンボルを送るために使用され得る。各シンボル期間における基準信号のために使用されない複数のリソース要素は、リソース要素グループ(ＲＥＧ：resource element group)に配置され得る。各ＲＥＧは１つのシンボル期間において４つのリソース要素を含み得る。ＰＣＦＩＣＨは４つのＲＥＧを占有でき、これらはシンボル期間０において周波数にわたってほぼ均等にスペースをあけられ得る。ＰＨＩＣＨは３つのＲＥＧを占有でき、これらは１つまたは複数の構成可能なシンボル期間において周波数にわたって拡散され得る。例えば、ＰＨＩＣＨのための３つのＲＥＧは全て、シンボル期間０に属するかまたはシンボル期間０、１および２において拡散され得る。ＰＤＣＣＨは９、１８、３６、または７２個のＲＥＧを占有し、これらは最初のＭ個のシンボル期間において利用可能なＲＥＧから選択され得る。ＲＥＧのある複数の組合せはＰＤＣＣＨを考慮に入れ得る。
【００３０】
[0050]  ＵＥは、ＰＨＩＣＨおよびＰＣＦＩＣＨのために使用される特定のＲＥＧを知り得る。ＵＥは、ＰＤＣＣＨのためにＲＥＧの異なる組合せをサーチし得る。サーチするための組合せの数は通常、ＰＤＣＣＨに対して許可される組合せの数よりも少ない。ｅＮＢは、ＵＥがサーチするであろう任意の組合せでＵＥにＰＤＣＣＨを送り得る。
【００３１】
[0051] １つのＵＥが複数のｅＮＢのカバレッジ内にあり得る。これらｅＮＢのうちの１つは、ＵＥをサービングするために選択され得る。サービングｅＮＢは、例えば、受信電力、パス損失、信号対雑音比(ＳＮＲ：signal-to-noise ratio)等のような、様々な基準に基づいて選択され得る。さらに、ＵＥがアップリンク上でｅＮＢと通信するために、同様のサブフレームおよびスロット構造を利用できると理解されるべきである。例えば、ＵＥは、送信物理アップリンク制御チャネル(ＰＵＣＣＨ：physical uplink control channel)、物理アップリンク共有チャネル(ＰＵＳＣＨ：physical uplink shared channel)、サウンディング基準信号(ＳＲＳ：sounding reference signal)、またはサブフレームの１つまたは複数のスロットにおける１つまたは複数のシンボル期間にわたって他の通信を送信できる。
【００３２】
[0052]  図３は、基地局／ｅＮＢ １１０およびＵＥ １２０の設計のブロック図を示し、これらは図１における基地局／ｅＮＢのうちの１つおよびＵＥのうちの１つであり得る。制限された関連付けシナリオの場合、基地局１１０が図１におけるマクロｅＮＢ １１０ｃであり、ＵＥ １２０がＵＥ １２０ｙであり得る。基地局１１０はまた、何らかの他のタイプの基地局であり得る。基地局１１０はアンテナ３３４ａ〜３３４ｔを備え得るもので、ＵＥ １２０はアンテナ３５２ａ〜３５２ｒを備え得る。
【００３３】
[0053]  基地局１１０では、送信プロセッサ３２０がデータソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨ等のためのものであり得る。データは、ＰＤＳＣＨ等のためのものであり得る。プロセッサ３２０は、データシンボルおよび制御シンボルをそれぞれ取得するためにデータおよび制御情報を処理(例えば、符号化およびシンボルマッピング)し得る。プロセッサ３２０はまた、例えば、ＰＳＳ、ＳＳＳのための基準シンボル、およびセル固有の基準信号を生成し得る。送信(ＴＸ)多入力多出力(ＭＩＭＯ)プロセッサ３３０は、データシンボル、制御シンボル、および／または基準シンボルに、空間処理(例えば、プレコーディング)を行い、適用可能である場合、変調器(ＭＯＤ)３３２ａ〜３３２ｔに出力シンボルストリームを提供し得る。各変調器３３２は、出力サンプルストリームを取得するために、該当の出力シンボルストリーム(例えば、ＯＦＤＭ、等のための)を処理する。各変調器３３２は、ダウンリンク信号を取得するために、出力サンプルストリームをさらに処理(例えば、アナログ変換、増幅、フィルタリング、およびアップコンバート)し得る。変調器３３２ａ〜３３２ｔからのダウンリンク信号は、それぞれ、アンテナ３３４ａ〜３３４ｔを介して送信され得る。
【００３４】
[0054]  ＵＥ １２０では、アンテナ３５２ａ〜３５２ｒが基地局１１０からダウンリンク信号を受信し、受信した信号を復調器(ＤＥＭＯＤ)３５４ａ〜３５４ｒにそれぞれ提供し得る。各復調器３５４は、入力サンプルを取得するために該当の受信信号を条件づけ(例えば、フィルタリング、増幅、ダウンコンバート、およびデジタル化)し得る。各復調器３５４は、受信シンボルを取得するために入力サンプル(例えば、ＯＦＤＭ等のための)をさらに処理し得る。ＭＩＭＯ検出器３５６は、全ての復調器３５４ａ〜３５４ｒからの受信シンボルを取得し、適用可能であれば受信シンボルに対してＭＩＭＯ検出を行い、検出したシンボルを提供し得る。受信プロセッサ３５８は、検出されたシンボルを処理(例えば、復調、デインタリーブ、および復号)し、ＵＥ １２０のための復号されたデータをデータシンク３６０に提供し、復号された制御情報をコントローラ／プロセッサ３８０に提供し得る。
【００３５】
[0055]  アップリンクにおいて、ＵＥ １２０では、送信プロセッサ３６４が、データソース３６２からのデータ(例えば、ＰＵＳＣＨのための)並びにコントローラ／プロセッサ３８０からの制御情報(例えば、ＰＵＣＣＨのための)を受信して処理し得る。プロセッサ３６４はまた、基準信号のための基準シンボルを生成し得る。送信プロセッサ３６４からのシンボルは、適用可能ならばＴＸ ＭＩＭＯプロセッサ３６６によってプレコーディングされ、変調器３５４ａ〜３５４ｒによって(例えば、ＳＣ−ＦＤＭ等のために)さらに処理され、基地局１１０に送信され得る。基地局１１０では、ＵＥ１２０からのアップリンク信号がアンテナ３３４によって受信され、復調器３３２によって処理され、適用可能ならぱＭＩＭＯ検出器３３６によって検出され、ＵＥ１２０によって送られた復号されたデータおよび制御情報を得るために、受信プロセッサ３３８によってさらに処理され得る。プロセッサ３３８は、データシンク３３９に復号されたデータを提供し、コントローラ／プロセッサ３４０に復号された制御情報を提供し得る。
【００３６】
[0056]  コントローラ／プロセッサ３４０および３８０は基地局１１０およびＵＥ１２０での動作をそれぞれ命令し得る。プロセッサ３４０および／または基地局１１０における他のプロセッサおよびモジュールは、本明細書において説明される技法のための様々な処理の実行を行うか、または命令し得る。プロセッサ３８０および／またはＵＥ １２０における他のプロセッサおよびモジュールはまた、図８に示される機能ブロックおよび／または本明細書で説明される技法に関する他のプロセスの実行を行うか、または命令し得る。メモリ３４２および３８２は基地局１１０およびＵＥ１２０のためのデータおよびプログラムコードをそれぞれ記憶でき、これらは図６、１６、および１７等で説明される方法を実行するための複数の命令を含むことができる。スケジューラ３４４はダウンリンクおよび／またはアップリンク上のデータ送信のためにＵＥをスケジューリングし得る。
【００３７】
［キャリアアグリゲーション］
[0057]  ＬＴＥ−アドバンストＵＥは、各方向における送信に使用される合計１００Ｍｈｚ(５個のコンポーネントキャリア)までのキャリアアグリゲーションにおいて割当てられる２０Ｍｈｚ帯域幅内でスペクトルを使用できる。一般に、ダウンリンクよりも少ないトラフィックがアップリンク上で送信されるため、アップリンクスペクトル割当はダウンリンク割当よりも小さくなり得る。例えば、２０Ｍｈｚがアップリンクに割当てられた場合、ダウンリンクが１００Ｍｈｚを割当てられ得る。これら非対称ＦＤＤ割当(asymmetric FDD assignments)はスペクトルを節約できるうえ、ブロードバンド加入者による典型的な非対称帯域幅利用に非常に適しているが、他の割当が可能であり得る。
【００３８】
［キャリアアグリゲーションタイプ］
[0058]  ＬＴＥ−アドバンストモバイルシステムについては、図４Ａおよび４Ｂに例示される連続的なＣＡおよび非連続的なＣＡである２タイプのキャリアアグリゲーション(ＣＡ：carrier aggregation)方法が提案されている。非連続的なＣＡは、複数の利用可能なコンポーネントキャリア４１０が周波数帯域に沿って分離されている場合に発生する(図４Ｂ)。一方、連続的なＣＡは、複数の利用可能なコンポーネントキャリア４００が互いに隣接している場合に発生する(図４Ａ)。図示されるように、例えば、連続的なＣＡでは、キャリア１ ４０２、キャリア２ ４０４、およびキャリア３ ４０６が周波数において隣接する。非連続的なＣＡでは、キャリア１ ４１２、キャリア２ ４１４、およびキャリア３ ４１６が周波数において隣接しない。非連続的および連続的なＣＡの両方は、ＬＴＥ−アドバンストＵＥの単一ユニットにサービングするために複数のＬＴＥ／コンポーネントキャリアをアグリゲート(aggregate)する。
【００３９】
[0059]  複数のＲＦ受信ユニットおよび複数のＦＦＴは、キャリアが周波数帯域に沿って分離されているので、ＬＴＥ−アドバンストＵＥにおいて非連続的なＣＡで展開され得る。非連続的なＣＡが広周波数範囲にわたる複数の分離されたキャリアを介してデータ送信をサポートすることから、伝搬パス損失、ドップラー偏移および他の無線チャネル特性が異なる周波数帯域で大きく変化し得る。
【００４０】
[0060]  従って、非連続的なＣＡアプローチ下でブロードバンドデータ送信をサポートするため、方法が異なるコンポーネントキャリアのための符号化、変調および送信電力を適応的に調節するように使用され得る。例えば、ＬＴＥ−アドバンストシステムで、強化されたノードＢ(ｅＮＢ)が各コンポーネントキャリア上で固定された送信電力を有する場合、各コンポーネントキャリアのサポート可能な変調および符号化または有効なカバレッジが異なり得る。
【００４１】
［データアグリゲーション方式］
[0061]  図５は、国際モバイルテレコミュニケーション(ＩＭＴ)−アドバンストまたは同様のシステムのために、媒体アクセス制御(ＭＡＣ：medium access control)レイヤにおける異なるコンポーネントキャリア５０２、５０４、および５０６からの送信ブロック(ＴＢ：transmission block)をアグリゲートするデータアグリゲーション５００の実行を示す。ＭＡＣレイヤデータアグリゲーションでは、各コンポーネントキャリアがＭＡＣレイヤにおいてそれ自体の独立したハイブリッド自動再送要求(ＨＡＲＱ)エンティティ５０８、５１０、および５１２を有し、物理レイヤ５１４、５１６および５１８においてそれ自体の送信構成パラメータ(例えば、送信電力、変調および符号化方式、および複数のアンテナ構成)を有する。同様に、物理レイヤでは、１つのＨＡＲＱエンティティが各コンポーネントキャリアごとに提供されることができる。
【００４２】
［制御シグナリング］
[0062]  一般に、複数のコンポーネントキャリアのための制御チャネルシグナリングを展開するために、３つの異なるアプローチがある。１つ目は、各コンポーネントキャリアがそれ自体の符号化された制御チャネルを与えられている場合に、ＬＴＥシステムにおいて制御構造の軽微な修正を含む。
【００４３】
[0063]  ２つ目の方法は、異なるコンポーネントキャリアの制御チャネルを一緒に符号化し、１つの専用コンポーネントキャリアにおいてこれら制御チャネルを展開することを含む。複数のコンポーネントキャリアのための制御情報は、この専用制御チャネルにおいてシグナリングコンテンツとして統合されることができる。結果として、ＬＴＥシステムにおける制御チャネル構造との後方互換性が維持される一方、ＣＡにおけるシグナリングオーバーヘッドが低減される(例えば、専用制御チャネルについて)。
【００４４】
[0064]  異なるコンポーネントキャリアのための複数の制御チャネルは、一緒に符号化され、その後、３つ目のＣＡ方法によって形成された全周波数帯域にわたって送信される。このアプローチは、ＵＥ側での高い電力消費を犠牲にして、制御チャネルにおける低いシグナリングオーバーヘッドおよび高い復号化性能を提示する。しかしながら、この方法は、ＬＴＥシステムと互換性がないことがある。
【００４５】
［ハンドオーバ制御］
[0065]  ＣＡがＩＭＴ−アドバンストＵＥのために使用される場合、複数のセルにわたるハンドオーバ手順の間の送信連続性をサポートすることが好ましい。しかしながら、特定のＣＡ構成およびサービスの品質(ＱｏＳ：quality of service)要件を伴う到来ＵＥのために十分なシステムリソース(例えば、良質な送信品質を有するコンポーネントキャリア)を確保することは、次のｅＮＢにとって困難であり得る。この理由は、２つ(またはそれ以上)の隣接セル(ｅＮＢ)のチャネル条件が特定ＵＥについて異なり得るからである。１つのアプローチでは、ＵＥが各隣接セルにおいて１つのコンポーネントキャリアのみの性能を測定する。これは、ＬＴＥシステムにおけるものと類似した測定遅延、複雑性、およびエネルギー消費を示す(offer)。対応するセルにおける他のコンポーネントキャリアの性能の推定は１つのコンポーネントキャリアの測定結果に基づき得る。この推定に基づき、ハンドオーバの決定および送信構成が決定され得る。
【００４６】
[0066]  図６は、一例に従い、物理チャネルをグループ化することによってマルチキャリアワイヤレス通信システムにおける複数の無線リンクを制御するための方法論６００を示す。図示されるように、この方法は、ブロック６０２で、一次キャリアおよび１つまたは複数の関連した二次キャリアを形成するために少なくとも２つのキャリアからの制御機能を１つのキャリアにアグリゲートすることを含む。次にブロック６０４では、複数の通信リンクが一次キャリアおよび各二次キャリアについて確立される。次に通信がブロック６０６で一次キャリアに基づいて制御される。
【００４７】
［強化されたＰＤＣＣＨ(ｅＰＤＣＣＨ)］
[0067]  ＬＴＥ Ｒｅｌｅａｓｅ １１(Ｒｅｌ−１１)では、強化された物理ダウンリンク制御チャネル(ｅＰＤＣＣＨ：enhanced Physical Downlink Control Channel)と呼ばれる新しい制御チャネルが導入される。サブフレームにおいて第１のいくつかの制御シンボルを占有するレガシＰＤＣＣＨとは違い、ｅＰＤＣＣＨは物理ダウンリンク共有チャネル(ＰＤＳＣＨ)と同様にデータ領域を占有する。
【００４８】
[0068]  図７は、サブフレームであり得る周波数の一部分上で時間の一例部分にある様々な例のｅＰＤＣＣＨ構造７００を示す。例えば、サブフレームにおける初期リソースの一部分が、ＰＤＣＣＨ、ＰＣＦＩＣＨ、ＰＨＩＣＨ、および／または同様のチャネルを含むことができる複数のレガシデバイスに制御データを通信するためのレガシ制御領域７０２用に予約され得る。ＬＴＥにおいて、レガシ制御領域７０２はサブフレーム内にある数ｎのＯＦＤＭシンボルであることができ、ここで、ｎは１と３との間であり得る。ｅＰＤＣＣＨが新しいキャリアタイプのために定義される場合に、レガシ制御領域７０２が存在しないことがあることを理解されるべきである。いずれにせよ、残っているリソースがサブフレームのデータ領域７０４を備えることができる。従って、レガシＰＤＣＣＨと違って、新しいキャリアタイプのためのｅＰＤＣＣＨはデータ領域７０４のみを占有し得る。
【００４９】
[0069]  ５つの選択肢が強化された制御チャネル構造を定義するために示されるが、他の選択肢が可能であることも理解されるであろう。例えば、強化された制御チャネル構造は、増加した制御チャネル容量をサポートすること、周波数ドメインセル間干渉調整(ＩＣＩＣ：inter-cell interference coordination)をサポートすること、改善された制御チャネルリソースの空間再利用を達成すること、ビームフォーミングおよび／またはダイバーシティをサポートすること、並びに新しいキャリアタイプ上、および単一周波数ネットワーク上マルチキャスト／ブロードキャスト(ＭＢＳＦＮ)サブフレーム内で動作してレガシデバイス等と同じキャリアデバイスと共存することができる。
【００５０】
[0070]  選択肢１ ７０６において、強化された制御チャネル構造は、ダウンリンク許可が領域７０４の第１の部分にわたる周波数の少なくとも一部分の制御チャネル上で割当てられ、アップリンク許可が領域７０４の第２の部分にわたる周波数の一部分の制御チャネル上で割当てられるように、リレーＰＤＣＣＨ(Ｒ−ＰＤＣＣＨ)と同様であることができる。選択肢２ ７０８において、強化された制御チャネル構造は、ダウンリンクおよびアップリンク許可が第１および第２の部分両方に及ぶ領域７０４における周波数の一部分上で割当てられること認める。選択肢３ ７１０において、強化された制御チャネル構造は、ダウンリンクおよびアップリンク許可が領域７０４の少なくとも一部分においてＴＤＭを使用して周波数の一部分上で割当てられることを認める。選択肢４ ７１２において、強化された制御チャネル構造は、ダウンリンクおよびアップリンク許可が領域７０４の第１の部分上で周波数の少なくとも一部分における制御チャネル上で割当てられることを認め、アップリンク許可が領域７０４の第２の部分上で周波数の一部分における制御チャネル上で割当てられる。領域７０４の第１の部分および領域７０４の第２の部分は、重複するように構成または動作でき得ないことに留意されたい。選択肢５ ７１４において、ダウンリンク許可は領域７０４の少なくとも一部分上でＴＤＭを使用して割当てられることができる一方、アップリンク許可は領域７０４上で周波数の異なる部分でＦＤＭを使用して割当てられることができる。
【００５１】
[0071]  １つまたは複数の選択肢を使用すると、強化された制御チャネルは、従来のレガシ制御チャネル構造に比べて、ダウンリンクおよび／またはアップリンク割当のために様々な多重化方式を使用するリソースの割当を認めると理解されるであろう。
【００５２】
[0072]  従って、ｅＰＤＣＣＨには、１つまたは複数の追加の条件または同意が適用され得る。例えば、ｅＰＤＣＣＨの、ローカライズされた送信および分散された送信の両方がサポートされ得る。この場合、少なくともローカライズされた送信の間、および分散された送信の間、共通基準信号(ＣＲＳ：Common Reference Signal)が強化された制御チャネルの復調のために使用されないと、強化された制御信号チャネルの復調が、強化された制御チャネルの送信のために使用される１つまたは複数の物理リソースブロック(ＰＲＢ：Physical Resource Block)内で送信される復調基準信号(ＤＭ−ＲＳ：DeModulation-Reference Signal)に基づく。
【００５３】
[0073]  加えて、いくつかのケースおいて、ｅＰＤＣＣＨメッセージは、例えば、ＵＥのための処理要求の緩和を許可するために、送信時間インターバル(ＴＴＩ：Transmission Time Interval)において受信可能な最大数のトランスポートチャネル(ＴｒＣＨ：Transport CHannel)ビットに対する制限を有する第１および第２のスロット(例えば、ｅＰＤＣＣＨに基づくＦＤＭ)の両方に及び得る。また、例えば、ＰＲＢペア内のｅＰＤＣＣＨおよびＰＤＳＣＨの多重化は、許可されないことがある。
【００５４】
[0074]  さらに、例えば、いくつかの場合、ランク２ ＳＵ−ＭＩＭＯは、単一のブラインド復号試行に関してサポートされないことがある。また、同じスクランブリングシーケンスジェネレータ(scrambling sequence generator)が、ＰＤＳＣＨ ＤＭ−ＲＳの場合と同様にｅＰＤＣＣＨ ＤＭ−ＲＳのために使用され得る。
【００５５】
[0075]  従って、強化された制御チャネルのためのリソース割当は、強化された代替制御チャネル構造のうちの１つまたは複数を収容するように定義されることができる。
【００５６】
［新しいキャリアタイプ］
[0076]  以下の概念は、例えば、新しいキャリアタイプまたは拡張キャリア、単一キャリア、ＣＡにおける２つ以上のキャリア、コーディネーティッドマルチプルポイント(ＣｏＭＰ：coordinated multiple point)、および／またはＬＴＥ Ｒｅｌｅａｓｅ １２(Ｒｅｌ−１２)で導入され、サブフレームの様々な部分のリソース内でリソース許可をさせ得る新しいキャリアタイプのような任意の後方互換性のないキャリアに適用されることができる。一態様において、新しいキャリアタイプまたは拡張キャリアは、ＬＴＥ Ｒｅｌｅａｓｅ ８(Ｒｅｌ−８)キャリアに加えてサポートされるキャリアであり得る。いくつかの態様において、新しいキャリアタイプまたは拡張キャリアは、例えば、別のキャリアの拡張であることができ、キャリアアグリゲーションセットの一部分としてアクセスされなければならないことがある。特に、本装置および方法は、サブフレームのデータ領域におけるブロードキャストシグナリングおよび／またはユニキャストシグナリングに基くＭＢＭＳサブフレームの認識を可能にする。
【００５７】
[0077]  例えば、ｅＰＤＣＣＨを利用し、且つＭＢＭＳおよびユニキャストサービスの両方を提供するＬＴＥの新しいキャリアタイプにおけるようないくつかの場合には、一般に利用される制御領域、例えばレガシ制御領域７０２、が存在しないため、ネットワークがＭＢＭＳサブフレームを指示する(indicating)ことにおいて問題を経験する。従って、本装置および方法は、基地局のようなネットワークコンポーネントが複数のＭＢＳＦＮサブフレームおよび／またはＭＢＳＦＮサブフレームのセット内のサブフレームのサブセットを指示するｅＰＤＣＣＨを含む新しいキャリアタイプを送信することを可能にする１つまたは複数の選択肢を提供し、その結果、ＵＥまたはＵＥのグループで対応するＭＢＭＳサブフレームの導出をさせるためのＭＢＭＳの存在をシグナリングする。
【００５８】
[0078]  図８を参照すると、一態様において、ワイヤレス通信システム８００が、例えばＭＢＭＳのようなブロードキャストサービスおよびユニキャストサービスを新しいキャリアタイプまたは拡張キャリアにおいて可能にする。システム８００は、デバイス８０４へのワイヤレスネットワークアクセスを提供できる基地局８０２を含む。デバイス８０４は、ＵＥ、モデム(または、他の係留(tethered)デバイス)、その一部、および／または同様なものであり得る。基地局８０２は、マクロ基地局、フェムトノード、ピコノード、モバイル基地局、リレー、デバイス(例えば、ピア・ツー・ピアまたはアドホックモード等でデバイス８０４と通信するような)、その一部、および／または同様なものであり得る。
【００５９】
[0079]  基地局８０２は、ブロードキャストサービスおよびユニキャストサービスにそれぞれ対応するブロードキャストデータ８１０およびユニキャストデータ８１２を含むデータトラフィックを搬送できる新しいキャリアタイプまたは拡張キャリア８０８を生成するように構成されたキャリア生成コンポーネント８０６を含む。例えば、ブロードキャストサービスは、基地局８０２によって提供されるＭＢＭＳサービスに対応し得る。さらに、例えば、新しいキャリアタイプ８０８は、ＬＴＥ Ｒｅｌｅａｓｅ １２(Ｒｅｌ−１２)において導入され得る新しいキャリアのような後方互換性のないキャリアのタイプであり得る。言い換えると、新しいキャリアタイプ８０８は、既存のキャリアとの後方互換性のないキャリアタイプであり得る。例えば、既存のキャリアは、ＬＴＥの新しいキャリアタイプのような他のキャリアタイプと互換性のないことがあるセル固有基準信号を備え得る。
【００６０】
[0080]  一態様において、新しいキャリアタイプ８０８は、ＬＴＥ Ｒｅｌｅａｓｅ ８(Ｒｅｌ−８)キャリアに加えてサポートされるキャリアであり得る。いくつかの態様において、新しいキャリアタイプ８０８は、例えば、別のキャリアの拡張であることができ、例えば、キャリアアグリゲーションセットの一部分としてアクセスされなければならない。
【００６１】
[0081]  加えて、基地局８０２は、新しいキャリアタイプ８０８のための制御情報８１６を生成するために動作可能な制御情報コンフィギュレータ８１４を含む。例えば、制御情報８１６は、新しいキャリアタイプ８０８において、少なくともブロードキャストデータ８１０の存在、および、オプションでユニキャストデータ８１２の存在を識別する任意の情報を含む。例えば、制御情報コンフィギュレータ８１４は、ブロードキャストサービスのためのリソース割当に基づいて、例えばＭＢＭＳで周期的な送信インターバル内にある新しいキャリアタイプ８０８の複数のＭＢＳＦＮサブフレームであって、ブロードキャストデータ８１０および／またはユニキャストデータ８１２を搬送可能である複数のＭＢＳＦＮサブフレームのうちの指定された１つに基いて、制御情報８１６を決定する。このように、ブロードキャストサービスがＭＢＭＳサービスに対応する場合、ブロードキャストデータ８１０のために割当てられたリソースがＭＢＭＳリソースと呼ばれる一方、残りのリソースが非ＭＢＭＳリソースと呼ばれて制御情報８１６および／またはユニキャストデータ８１２を搬送し得る。
【００６２】
[0082]  一態様では、新しいキャリアタイプにおいて、ＭＢＭＳサブフレームの情報がブロードキャストシグナリングおよび／またはユニキャストシグナリングに基づくことができる。加えて、ＭＢＭＳサブフレームの導出がＭＢＳＦＮサブフレームの指示に基づき、ＵＥのためのＭＢＭＳまたはＵＥのグループの存在を示す複数のＭＢＳＦＮサブフレームのセット内にあるサブフレームのサブセットの１つまたは複数の指示に基づくことができる。代替的には、このセットのＭＢＭＳサブフレームが明確に指示される。
【００６３】
[0083]  特に、一態様では、強化された制御チャネルが、例えばサブフレーム内の第１の１つまたは２つのシンボルのようなレガシ制御リソースを含んだり含まなかったりし得るＬＴＥ Ｒｅｌ−１１の強化された物理ダウンリンク制御チャネル(ｅＰＤＣＣＨ)を含む場合、制御情報コンフィギュレータ８１４が、ブロードキャストデータトラフィックのために通常予約されるサブフレームのデータ領域に割当てられた非ＭＢＭＳリソースによって搬送されるように制御情報８１６および／またはユニキャストデータ８１２を配置し得る。例えば、ある場合には、制御情報コンフィギュレータ８１４が時分割多重方式(ＴＤＭ)で複数のＭＢＳＦＮサブフレームの別々のそれらにＭＢＭＳリソースおよび非ＭＢＭＳリソースを割当て、従って、非ＭＢＭＳリソース内の制御情報８１６をＭＢＭＳリソースを包含する別のセットのサブフレームから独立した１セットのサブフレーム内に配置する。他の場合には、例えば、制御情報コンフィギュレータ８１４が、ＭＢＭＳリソースおよび非ＭＢＭＳリソースを複数のＭＢＳＦＮサブフレームのうちの同じ１つに割当て、複数のＭＢＳＦＮサブフレームにわたって、時分割多重方式(ＴＤＭ)か、周波数分割多重方式か、または両方の組合せのいずれかで、各該当のサブフレーム内の該当のリソースを分散する。いくつかの場合、制御情報コンフィギュレータ８１４は、新規のキャリタイプ８０８がブロードキャストサービスとユニキャストサービスの両方をサポートできるようにする。
【００６４】
[0084]  加えて、基地局８０２は、制御情報８１６を含む新しいキャリアタイプ８０８を送信するための送信コンポーネント８１８を含み、同様に、少なくともブロードキャストデータ８１０を含み、オプションでユニキャストデータ８１２を含む。例えば、送信コンポーネント８１８は、基地局８０２のカバレッジエリアにわたって新しいキャリアタイプ８０８をブロードキャストし得る。
【００６５】
[0085]  デバイス８０４は、通信を受信し、および／または通信を送信するために、基地局からリソースを受信するためのリソース割当受信コンポーネント８２０を含む。例えば、受信したリソースは、基地局８０２から送信されたユニキャストデータ８１２および／または制御情報８１６、ブロードキャストデータ８１０を含む、新しいキャリアタイプ８０８を含む。さらに、デバイス８０４は、リソース割当に対応するデータを受信または送信する、１つまたは複数のリソースを決定するためのリソース決定コンポーネント８２２を含む。例えば、リソース決定コンポーネント８２２は、１つまたは複数の対応する送信されたサブフレームから、ブロードキャストデータ８１０および／またはユニキャストデータ８１２の取得を可能にするための制御情報８１６を検出および解釈できる。加えて、リソース決定コンポーネント８２２は、ＵＬスケジューリング、例えばクロスサブフレーム、マルチサブフレーム、および／またはクロスキャリア方式を可能にするための制御情報８１６を検出および解釈できる。加えて、デバイス８０４は、デバイス８０４のために設計される、指示されたリソースを消費するためのリソース利用コンポーネント８２４を含む。例えば、一態様において、リソース利用コンポーネント８２４は、それらに限定されないが、プロセッサ、出力メカニズム、メディアプレイヤ、または受信されたブロードキャストデータ８１０をデバイス８０４のユーザに提示するための他のアプリケーションを含み得る。他の態様において、リソース利用コンポーネント８２４は、例えば、制御情報８１６において受信されるＵＬスケジューリングに基づいて、通信を送信するための送信機またはトランシーバを含み得る。
【００６６】
[0086]  図９−１５を参照すると、異なるリソースの割当の例は、本装置および方法の異なる動作モードに基づいて提示される。特に、図９および１０のリソース割当９００および１０００は、ＭＢＭＳリソース９０２および非ＭＢＭＳリソース９０４が、複数のサブフレーム、例えば単一周波数ネットワーク上マルチキャスト／ブロードキャスト(ＭＢＳＦＮ)サブフレーム、のうちの異なる１つに分割される場合の、ピュア(pure)時分割多重(ＴＤＭ)の態様の例を表す。対照的に、図１１−１５のリソース割当１１００、１２００、１３００、１４００、および１５００は、ＭＢＭＳリソース９０２および非ＭＢＭＳリソース９０４が複数のサブフレーム、例えばＭＢＳＦＮサブフレーム、のうちの単一の１つ内で共存することを可能にする異なるモード(例えば、ＴＤＭベースまたは周波数分割多重(ＴＤＭ)ベース)をそれぞれ表す。単独で示されていないが、本装置および方法はまた、例えば、１つのサブフレームがＴＤＭベース割当を含み、複数のサブフレーム内の別のサブフレームがＦＤＭベース割当を含み得るような、混合されたＴＤＭベースおよびＦＤＭベース方式でＭＢＭＳリソース９０２および非ＭＢＭＳリソース９０４が単一のサブフレームにおいて共存するリソース割当てを考慮することに留意すべきである。
【００６７】
[0087]  図９を参照すると、一態様において、本装置および方法は、ＭＢＭＳリソース９０２および非ＭＢＭＳリソース９０４を無線フレーム内で複数の単一周波数ネットワーク上マルチキャスト／ブロードキャスト(ＭＢＳＦＮ)サブフレーム９０６のうちの異なる１つに分割し、リソース割当９００に基づいて時間ドメインを作成するように構成される。例えば、無線フレームは、繰り返しインターバルにおける送信のための複数の無線フレームのセットのうちの１つであり、複数のＭＢＳＦＮサブフレーム９０６の各々は、ＭＢＭＳリソース９０２または非ＭＢＭＳリソース９０４の両方ではないが少なくとも１つを含む。言い換えると、この場合、無線フレーム内のＭＢＭＳサービスの存在を示すための制御情報８１６(図８)は、非ＭＢＭＳリソース９０４に配置される。例えば、本装置および方法は、そのように構成されることに限定されないが、リソースがサブフレームベースの時間で分割されるので、この場合非ＭＢＭＳサブフレームに対応する、マルチキャスト制御チャネル(ＭＣＣＨ)通知メッセージを生成し、１つまたは複数の非ＭＢＭＳリソース９０４においてマルチキャスト無線ネットワーク一時識別子(Ｍ−ＲＮＴＩ)によってスクランブルされる(scrambled)ダウンリンク制御情報(ＤＣＩ)フォーマット１Ｃを使用し、ＰＤＣＣＨを介して送信するように構成される。
【００６８】
[0088]  図１０を参照すると、他のＴＤＭベース態様において、本装置および方法は、図９と同様に、ＭＢＭＳリソース９０２および非ＭＢＭＳリソース９０４を複数のＭＢＳＦＮサブフレーム１００６のうちの異なる１つに分割する、リソース割当１０００に基づいて時間ドメインを作成するように構成される。この場合、しかしながら、リソース割当１０００は、所与のＤＬサブフレームがこの場合に１つまたは複数のＵＬサブフレーム、例えばサブフレーム１０１２および１０１４、をスケジュールすることをイネーブルするように非ＭＢＭＳサブフレーム、例えばサブフレーム１０１０、を定義するＵＬスケジューリング情報１００８を少なくとも１つの非ＭＢＭＳリソース９０４内に付加的に含む。
【００６９】
[0089]  図１１−１５を参照すると、図９および１０とは対照的に、本装置および方法のリソース割当１１００、１２００、１３００、１４００、および１５００は、例えば、送信インターバルで繰り返す無線フレームのセットにおける複数のＭＢＳＦＮのうちの１つのような、単一のサブフレーム１１０２内のＭＢＭＳリソース９０２および非ＭＢＭＳリソース９０４の多重化を認める。いくつかの態様において、例えば、単一のサブフレーム１１０２内のこのような多重化は、これらに限定されないが、例えば、以下のうちの１つまたは複数のような非ＭＢＭＳ制御信号／チャネルを提供することを含み得る。
【００７０】
[0090]  制御領域を示すための、強化された物理制御フォーマットインジケータチャネル(ｅＰＣＦＩＣＨ：enhanced Physical Control Format Indicator Channel)またはＰＣＩＦＣＨ：
[0091]  非適応ＵＬ再送信のための、強化された物理ＨＡＲＱインジケータチャネル(ｅＰＨＩＣＨ：enhanced Physical HARQ Indicator Channel)またはＰＨＩＣＨ：
[0092]適応ＵＬ(再)送信(adaptive UL (re)-transmissions)のための、ｅＰＤＣＣＨまたはＰＤＣＣＨ：  これはまた、ＤＬデータがＰＭＣＨで多重化されることが認められる場合にＤＬ許可を含み、および／またはグループ電力制御のためのＤＣＩフォーマット３／３Ａを含み得る。
【００７１】
[0093]  図１１−１３で、一態様において、本装置および方法は、無線フレーム内で、例えばＭＢＳＦＮサブフレームのような１つまたは複数の単一のサブフレーム１１０２内の、ローカライズされたまたは分散された領域にＭＢＭＳリソース９０２および非ＭＢＭＳリソース９０４を多重化する、リソース割当１１００、１２００、および１３００に基づいて周波数ドメインを作成するように構成される。図１１で、例えば、リソース割当１１００は非ＭＢＭＳリソース９０４をサブフレーム１１０２の帯域幅の２つのエッジ上に配置するもので、エッジは対称または非対称である。図１２において、例えば、リソース割当１２００は、非ＭＢＭＳリソースを分散方式でサブフレーム１１０２の帯域幅全体にわたって配置する。図１３で、例えば、リソース割当１３００は、非ＭＢＭＳリソース９０４をサブフレーム１１０２の帯域幅全体の１つのエッジに配置する。図１１−１３の各態様において、ＭＢＭＳリソース９０２は、一部または全体の帯域幅に及ぶことができるＰＭＣＨを含み得る。加えて、各態様において、ＰＭＣＨのロケーションは、明確にまたは暗黙的にシグナリングされた(例えば、無線リソース制御(ＲＲＣ)を介する準静的な、または、例えば、ＰＭＣＨ帯域幅および／またはロケーションを特定するｅＰＣＦＩＣＨを介する動的な)指示または、固定されたものであることができる。準静的なシグナリングオプションおよび動的なシグナリングオプションの両方は、バックホールシグナリングを介してＳＦＮエリアにわたって調整されることができる。また、いくつかのサブフレームに対して同じであるか、またはさらにサブフレーム依存であることができると理解されるべきである。
【００７２】
[0094]  加えて、リソース割当１１００、１２００、および１３００の他の態様において、ＰＭＣＨおよび非ＭＢＭＳリソース９０４のサイクリックプレフィックス(ＣＰ)の長さ(length)およびトーン間隔(tone spacing)は、同じであるか、または異なっていることができる。限定として解釈されるべきでない一例において、ＰＭＣＨのためのＣＰの長さは、１５ｋＨｚのトーン間隔(１６．６７マイクロ秒のＣＰ継続時間を有する)または７．５ｋＨｚのトーン間隔(３３．３３マイクロ秒のＣＰ継続時間を有する)を伴う拡張されたＣＰであることができる。いくつかの態様において、例えば、標準的なＣＰは、一般に、拡張されたＣＰよりも効率的であることができるため、非ＭＢＭＳリソース９０４に関するＣＰおよびトーン間隔がＰＭＣＨ(例えば、ＭＢＭＳリソース９０２)と同じである場合、いくつかの非効率が引き起こされ、異なるＣＰおよびトーン間隔の値が好ましいことがあることに留意すべきである。さらに、一態様において、非ＭＢＭＳリソース９０４のために７．５ｋＨｚが使用される場合、新しいＤＭ−ＲＳパターンは、７．５ｋＨｚのトーン間隔に対して定義されるべきである(現在、ＤＭ−ＲＳは、１５ｋＨｚのトーン間隔に対してのみ定義される)。
【００７３】
[0095]  言い換えると、異なるＣＰおよび／またはトーン間隔がＰＭＣＨおよび非ＭＢＭＳリソース９０４のために使用される場合、ＰＭＣＨおよび非ＭＢＭＳリソース９０４の両方をモニタリングするＵＥが２つのＣＰ／トーン間隔を扱うことを必要とし、これがより複雑な問題をもたらす。
【００７４】
[0096]  加えて、オプションの態様において、いくつかの予約リソースブロック(ＲＢ)は、異なるシンボルの長さが互いに直交ではないので、自己干渉を制御するために異なるＣＰタイプのサブバンド間でガードバンドとして使用され得る。
【００７５】
[0097]  ＭＢＭＳを搬送するサブフレーム内の非ＭＢＭＳに関するＣＰタイプおよび／またはトーン間隔の、ユーザ機器での決定は、明確あるいは暗黙の方式で行われることができる。前者の場合、１セットのサブフレームに関するＣＰタイプおよび／またはトーン間隔は、上層レイヤシグナリングを介して維持され得る。ＣＰタイプおよび／またはトーン間隔は、他のサブフレームで仮定されたＣＰタイプおよび／またはトーン間隔(例えば、非ＭＢＭＳサブフレームにおける基準ＣＰタイプおよび／またはトーン間隔)とは異なることができる。一例として、一般的なＣＰは、非ＭＢＭＳサブフレームにおいて使用され、拡張されたＣＰは、非ＭＢＭＳサービスのためのＭＢＭＳサブフレームにおいて使用され得る。指示は、例えば、ｅＰＤＣＣＨ、ｅＰＨＩＣＨおよび／またはｅＰＣＦＩＣＨのような非ＭＢＭＳリソースのためであることができる。指示されたセットのサブフレームは、ＭＢＭＳサブフレームのセットと完全に揃えられたり、揃えられなかったりする。言い換えると、サブフレーム依存ＣＰタイプおよび／またはトーン間隔は一般に、より柔軟な動作をさせるように指示され得る。いくつかの例において、ＵＥは、暗黙の方式で、ＭＢＭＳを搬送するサブフレーム内の非ＭＢＭＳリソースに関するＣＰタイプおよびまたはトーン間隔を決定し得る。例として、ＵＥは、ＭＢＭＳを搬送するサブフレームにおいて、ＣＰタイプおよび／またはトーン間隔が、ＭＢＭＳに関するものと常に同じであると仮定できる。他の例として、ＵＥは、ＭＢＭＳを搬送するサブフレームにおいて、ＣＰタイプおよび／またはトーン間隔が、非ＭＢＭＳサブフレームにおけるそれらと常に同じであると仮定できる。
【００７６】
[0098]  他の態様において、レガシ制御(例えば、ＰＤＣＣＨ、ＰＨＩＣＨ、ＰＣＦＩＣＨ)が存在しない場合、ｅＰＤＣＣＨ、ｅＰＨＩＣＨ、および／またはｅＰＣＦＩＣＨが、非ＭＢＭＳリソース９０４内に存在し得る。
【００７７】
[0099]  加えて、さらなる態様において、図１１−１３のＭＢＭＳリソース９０２および非ＭＢＭＳリソース９０４を多重化することは、直交または非直交リソースを使用できる。例えば、後者の場合、非ＭＢＭＳリソース９０４は、ＭＢＭＳリソース９０２をパンクチャリング(puncture)し得る。パンクチャリングは、非ＭＢＭＳおよびＭＢＭＳの両方が同じリソースにマッピングされる場合、リソースがそれらのうちの１つについての送信のみを搬送し得る(例えば、非ＭＢＭＳがＭＢＭＳリソースをパンクチャリングする場合、非ＭＢＭＳ送信のみを搬送する)ことを示す。しかしながら、いくつかの例において、パンクチャリングは、影響を最小化するために、例えば、特定の数のリソースエレメント(ＲＥ)のみ、いくつかのｅＰＨＩＣＨチャネルについてのみ、等のような、特定の制限を有し得る。同様に、他の選択肢において、ＭＢＭＳリソース９０２は、非ＭＢＭＳリソース９０４をパンクチャリングし得る。言い換えると、どちらかの場合、ＭＢＭＳリソース９０２および非ＭＢＭＳリソース９０４は、いくつかの重複を含み得る。
【００７８】
[00100]  ＭＢＭＳサブフレーム内のいくつかのまたは全てのＭＢＭＳリソースは、予約された非ＭＢＭＳリソースが非ＭＢＭＳリソース送信によって利用されない場合、ＭＢＭＳによって再利用され得る。言い換えると、ＭＢＭＳのための帯域幅は、サブフレーム依存であり得る。例として、１０ＭＨｚのシステムにおいて、１０個のＲＢが非ＭＢＭＳサービスのために予約され、４０個のＲＢがＭＢＭＳサービスのために予約され得る。ＵＥは、４０個のＲＢのみが第１のＭＢＭＳサブフレーム内のＭＢＭＳサービスに対して利用可能であることを決定するが、全体の５０個のＲＢが第２のＭＢＭＳサブフレームにおいてＭＢＭＳサービスのために利用可能であり得ることを決定し得る。４５個のＲＢは、第３のＭＢＭＳサブフレームにおいて、ＭＢＭＳサービスのために利用可能であることをさらに決定し得る。これら決定は、明確あるいは暗黙の方式であることができる。前者の場合、ＵＥは、ＭＢＭＳのためのトータルの帯域幅またはＭＢＭＳのための(ＭＢＭＳのために当初予約された帯域幅に加えて)追加の帯域幅を指示するシグナリングを受信し得る。例えば、シグナリングは、ｅＰＣＦＩＣＨを介することができ、それは非ＭＢＭＳ送信のための１セットのリソースを動的に示す(それゆえ、残りのリソースは、ＭＢＭＳのためのものである)。後者の場合、ＵＥは、例えばサブフレームインデックス、ブラインド検出等を介して、ＭＢＭＳのための帯域幅を決定し得る。一例として、ＵＥは２つの可能性のあるＭＢＭＳ帯域幅を指示され得る。ＭＢＭＳのための第１の帯域幅は第１のサブフレームと関連づけられ、ＭＢＭＳのための第２の帯域幅は第２のサブフレームと関連付けられ得る。代替的に、ＵＥは、サブフレームにおいて、第１の帯域幅が使用されるか、または第２の帯域幅が使用されるかを盲目的に検出し得る。
【００７９】
[00101]  図１４を参照すると、一態様において、本装置および方法は、ＣＲＳ１４０２に基づいて無線フレーム内の、例えばＭＢＳＦＮサブフレームのような、１つまたは複数の単一サブフレームにおいてＭＢＭＳリソース９０２および非ＭＢＭＳリソース９０４を多重化するリソース割当１４００に基づいて時間ドメインを作成するように構成される。例えば、一態様において、非ＭＢＭＳリソース９０４は、少なくともＣＲＳ１４０２が存在する場合、サブフレーム１４０４の第１のシンボル内に存在でき、ＭＢＭＳリソース９０２は、サブフレーム１４０４の残りを占有できる。ＭＢＭＳがサービスである一方、ＰＭＣＨは、サービスを搬送する実際の物理チャネルであることに留意されたい。ＣＲＳが存在しない場合、ＰＭＣＨまたはＭＢＭＳリソース９０２がサブフレーム全体を占有するように、非ＭＢＭＳリソース９０４が該当のサブフレーム、例えばサブフレーム１４０６、において省略され得る。代替として、ＣＲＳが存在しない場合、該当のサブフレーム、例えばサブフレーム１４０８、が非ＭＢＭＳリソース９０４のみを含み得る。
【００８０】
[00102]  図示されないが、リソース割当１４００は、ＵＬスケジューリング上の影響を軽減するためのクロスサブフレーム、マルチサブフレーム、および／またはクロスキャリアスケジューリングを含み得ることに留意すべきである。加えて、この態様おいて、非ＭＢＭＳリソース９０４がすでに存在するため、レガシ制御のみがサブフレーム１４０４に(新規の制御なしで)存在し得ることに留意すべきである。さらに、これら態様において、ＣＲＳが存在するかどうか(いくつかのまたは全てのＭＢＭＳサブフレームにおいて)は、いくつかのシグナリング(動的または準静的な)を介してあらかじめ定められるか、または指示されることができる。一例において、ＵＥは、ＣＲＳがサブフレームに存在するか存在しないかを上位層レイヤを介して指示され得る。代替として、ＵＥは、ＣＲＳが存在するか存在しないかを制御チャネルを介して指示され得る。
【００８１】
[00103]  加えて、リソース割当１４００のいくつかの態様において、非ＭＢＭＳリソース９０４のためのＣＰの長さおよび／またはトーン間隔は、ＰＭＣＨまたは非ＭＢＭＳリソース９０２のためのものとは異なることができることに留意すべきである。例えば、非制限的な例の１つにおいて、１つのサブフレームは、非ＭＢＭＳリソース９０４に関する標準的なＣＰと１５ｋＨｚの２つのＯＦＤＭシンボル、およびＭＢＭＳリソース９０２またはＰＭＣＨに関する拡張されたＣＰと７．５ ｋＨｚの５つのシンボルを含み得る。
【００８２】
[00104]  図１５を参照すると、図１４と同様な他の態様において、本装置および方法は、無線フレーム内の、例えば、ＭＢＳＦＮサブフレームのような、１つまたは複数の単一サブフレームにおいてＭＢＭＳリソース９０２および非ＭＢＭＳリソース９０４を多重化するリソース割当１５００基づいて時間ドメインを作成するように構成され、ここで、非ＭＢＭＳリソースは、ＤＭ−ＲＭＳ１５０２に基づいて、例えば、ｅＰＤＤＣＨのような強化された制御チャネルを使用する。例えば、一態様において、非ＭＢＭＳリソース９０４は、少なくともＤＭ−ＲＳ １４０２が存在する場合、例えば、それぞれサブフレーム１５０４および１５０６のようなサブフレームの最初または最後のシンボル内に存在できる。図１５は、それぞれサブフレーム１５０４および１５０６の末端のような、非ＭＢＭＳリソース９０４がサブフレームの最後のシンボルに存在し得るが、上述されたように、サブフレームの最初のシンボルに存在し得ることのみを示すことに留意されたい。ＤＭ−ＲＳが存在しない場合、非ＭＢＭＳリソース９０４がサブフレーム全体を占有するように、ＭＢＭＳリソース９０２が該当のサブフレーム、例えばサブフレーム１５０８、において省略され得る。
【００８３】
[00105]  言い換えると、リソース割当１５００に関して、ＰＭＣＨまたはＭＢＭＳリソース９０２を包含する全てのサブフレームのいずれかは、非ＭＢＭＳリソース９０４を含む部分を有することができるか、またはＰＭＣＨを包含するサブフレームのサブセットのみが非ＭＢＭＳの部分を有することができる。後者の場合、本装置および方法は、この構造に関するＵＥに対する指示を提供できる。さらに、いくつかの他の例において、非ＭＢＭＳリソース９０４に関するＣＰの長さおよび／またはトーン間隔は、ＰＭＣＨまたは非ＭＢＭＳリソース９０２のためのものとは異なることができる。例えば、非制限的な例の１つにおいて、１つのサブフレームは、非ＭＢＭＳリソース９０４のための標準的なＣＰと１５ｋＨｚの２つのＯＦＤＭシンボル、およびＭＢＭＳリソース９０２またはＰＭＣＨのための拡張されたＣＰと７．５ｋＨｚの５つのシンボルを含むことができる。
【００８４】
[00106]  加えて、上述されたように、図１１−１５に示されたような、ＭＢＭＳリソース９０２および非ＭＢＭＳリソース９０４のＴＤＭベースおよびＦＤＭベース多重化の混合は、サブフレーム内でまたは複数のサブフレームにわたって使用され得る。例えば、非限定的な一例において、ＣＲＳを有するＭＢＭＳリソースを包含するサブフレームが存在し、ＴＤＭアプローチ(例えば、レガシ制御)が使用されることができる一方、ＣＲＳを有さないサブフレームを包含するＭＢＭＳリソースに関して、ＦＤＭアプローチ(例えば、新しい制御)が使用され得る。
【００８５】
[00107]  図１６および１７を参照すると、ＬＴＥにおける新しいキャリアタイプのマルチメディアおよびユニキャストサービスをサポートすることに関連する異なる方法論の例が提示される。説明の簡略化の目的のために、方法論は一連の動作(act)として示され説明される一方、いくつかの動作が１つまたは複数の実施形態に従って、本明細書で示され説明されるものとは異なる順序で、および／または他の動作と同時に起こり得る際に、方法論は、動作の順序によって限定されないことが理解および認識されるべきである。例えば、方法論は、状態図のような、一連の相互に関連のある状態またはイベントとして代替的に表されることができると理解されるべきである。さらに、１つまたは複数の実施形態に従って、全ての例示される動作が方法論を実現するために必要とされるわけではない。
【００８６】
[00108]  図１６では、ワイヤレス通信システムでのマルチメディアブロードキャストサービスをサポートする方法である方法１６００が、ブロック１６０２で、ブロードキャストデータおよびユニキャストデータを含むデータトラフィックを搬送できるキャリアを生成することを含み、ここにおいてキャリアは、既存のキャリアと後方互換性のないキャリアタイプを備える。
【００８７】
[00109]  リソースのピュアＴＤＭベース分割が望まれる場合の一態様において、キャリアを生成することは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むことをさらに備え、各ＭＢＳＦＮサブフレームは、ＭＢＳＦＮサブフレームの時間ドメイン内のマルチメディアブロードキャストマルチキャストサービス(ＭＢＭＳ)リソースまたは非ＭＢＭＳリソースの両方ではない少なくとも１つを備える。
【００８８】
[00110]  他の態様において、サブフレーム内でリソースのＦＤＭ多重が所望される場合、キャリアを生成することは、繰り返しインターバルでの送信のための１セットの無線フレームのうちの各無線フレーム内に複数の単一周波数ネットワーク上マルチキャスト／ブロードキャスト(ＭＢＳＦＮ)を含むことをさらに備え、各ＭＢＳＦＮサブフレームは、ＭＢＳＦＮサブフレームの周波数ドメインにわたってマルチメディアブロードキャストマルチキャストサービス(ＭＢＭＳ)リソースおよび非ＭＢＭＳリソースの両方を備える。
【００８９】
[00111]  さらなる態様において、サブフレーム内でリソースのＴＤＭ多重が所望される場合、キャリアを生成することは、繰り返しインターバル内の送信のための１セットの無線フレームにおける各無線フレーム内の複数の単一周波数ネットワーク上マルチキャスト／ブロードキャスト(ＭＢＳＦＮ)を含むことをさらに備え、少なくとも１つのＭＢＳＦＮサブフレームは、少なくとも１つのＭＢＳＦＮサブフレームの時間ドメインにわたってマルチメディアブロードキャストマルチキャストサービス(ＭＢＭＳ)リソースおよび非ＭＢＭＳリソースの両方を備える。
【００９０】
[00112]  さらに他の態様において、サブフレーム内でＦＤＭおよびＴＤＭ多重が複数のサブフレームにわたって混合され得る場合、キャリアを生成することは、繰り返しインターバルでの送信のための１セットの無線フレームのうちの各無線フレーム内に複数の単一周波数ネットワーク上マルチキャスト／ブロードキャストを含むことをさらに備え、異なるＭＢＳＦＮサブフレームを含む複数のＭＢＳＦＮサブフレームは、少なくとも１つのＭＢＳＦＮサブフレームの時間ドメインまたは周波数ドメイン内のマルチメディアブロードキャストマルチキャストサービス(ＭＢＭＳ)リソースおよび非ＭＢＭＳリソースの両方を有する。
【００９１】
[00113]  加えて、ブロック１６０４で、方法１６００はキャリアの制御情報を提供することを含み、ここにおいて制御情報は、ブロードキャストデータの存在を識別する。例えば、一態様において、制御情報の提供は、制御情報を非ＭＢＭＳリソースに配置することをさらに備える。
【００９２】
[00114]  加えて、ブロック１６０６で、方法１６００は、キャリアを送信することを含む。例えば、基地局８０２(図８)は、ブロードキャスト送信を介して、新しいキャリアタイプ８０８(拡張キャリアとも呼ばれる)を送信するように構成される。
【００９３】
[00115]  図１７を参照すると、ワイヤレス通信システムでのマルチメディアブロードキャストサービスを取得する方法１７００は、ブロック１７０２で、キャリアの制御情報を受信することを含み、ここにおいて制御情報はキャリア内のブロードキャストデータの存在を識別し、キャリアはブロードキャストデータおよびユニキャストデータを含むデータトラフィックを搬送でき、また、既存のキャリアと後方互換性のないキャリアタイプを備える。
【００９４】
[00116]  加えて、ブロック１７０４で、方法１７００は、制御情報に基づいてキャリアからブロードキャストデータを取得することを含む。
【００９５】
[00117]  図１８を参照すると、ワイヤレス通信装置１８００の一部分は、ブロードキャストデータおよびユニキャストデータを含むデータトラフィックを搬送できるキャリアを生成するための電子コンポーネント１８０２を備え、ここにおいてキャリアは既存のキャリアと後方互換性のないキャリアタイプを備える。加えて、装置１８００は、キャリアの制御情報を提供するための電子コンポーネント１８０４を含むことができ、ここにおいて制御情報はブロードキャストデータの存在を識別する。加えて、装置１８００はまた、キャリアを送信するための電子コンポーネント１８０６を含み得る。
【００９６】
[00118]  装置１８００はまた、電子コンポーネント１８０２、１８０４、および１８０６を実現できるメモリ１８０８を含む。追加としてまたは代替として、メモリ１８０８は、電子コンポーネント１８０２、１８０４、および１８０６を実行するための複数の命令と、電子コンポーネント１８０２、１８０４、および／または１８０６等と関連付けられた複数のパラメータとを含むことができる。
【００９７】
[00119]  代替として、または加えて、装置１８００は、１つまたは複数のプロセッサモジュールを含み、電子コンポーネント１８０２、１８０４、および１８０６と関連付けられた機能を実行するための複数の命令を保有し、または電子コンポーネント１８０２、１８０４、および１８０６によって定義された複数の命令を実行する、プロセッサ１８１０を含むことができる。プロセッサ１８１０の外側にあると示される一方、電子コンポーネント１８０２、１８０４、および１８０６のうちの１つまたは複数は、プロセッサ１８１０内に存在できると理解されるべきである。
【００９８】
[00120]  従って、装置１８００は、本明細書で説明される様々な技法をさらに実現し得る。一例において、装置１８００は、本明細書で説明された技法を行うために基地局８０２(図８)を含むことができる。
【００９９】
[00121]  図１９を参照すると、ワイヤレス通信装置１９００の一部分は、キャリアの制御情報を受信するための電子コンポーネント１９０２を備え、ここにおいて制御情報は、キャリア内のブロードキャストデータの存在を識別し、キャリアは、ブロードキャストデータおよびユニキャストデータを含むデータトラフィックを搬送でき、また、既存のキャリアと後方互換性のないキャリアタイプを備える。加えて、装置１９００は、制御情報に基づいて、キャリアからブロードキャストデータおよびユニキャストデータを取得するための電子コンポーネント１９０４を含む。
【０１００】
[00122]  装置１９００はまた、電子コンポーネント１９０２および１９０４が記憶され得るメモリ１９０６を含む。追加としてまたは代替として、メモリ１９０６は、電子コンポーネント１９０２、１９０２および１９０４を実行するための複数の命令、電子コンポーネント１９０２および１９０４等と関連付けられた複数のパラメータを含むことができる。
【０１０１】
[00123]  代替としてまたは加えて、装置１９００は、１つまたは複数のプロセッサモジュールを含み、電子コンポーネント１９０２および１９０４と関連付けられた機能を実行するための複数の命令を保有し、または電子コンポーネント１９０２および１９０４によって定義された複数の命令を実行する、プロセッサ１９０８を含むことができる。プロセッサ１８１０の外側にあると示される一方、電子コンポーネント１９０２および１９０４のうちの１つまたは複数がプロセッサ１９０８内に存在できると理解されるべきである。
【０１０２】
[00124]  従って、装置１９００は、本明細書で説明される様々な技法をさらに実現し得る。一例において、装置１９００は、本明細書で説明される技法を行うためにＵＥ８０４(図８)を含むことができる。
【０１０３】
[00125]  当業者は、情報および信号が、様々な異なる技術および技法のいずれかを使用して表され得ることを理解するであろう。例えば、上記説明の全体にわたって参照され得るデータ、命令、コマンド、情報、信号、ビット、シンボル、およびチップは、電圧、電流、電磁波、磁場または磁気粒子、光場または光粒子、またはこれらの任意の組合せによって表され得る。
【０１０４】
[00126]  当業者はさらに、本明細書の開示と関連して説明される様々な実例となる論理ブロック、モジュール、回路、アルゴリズムステップが、電子ハードウェア、コンピュータソフトウェアまたは両方の組合せとして実現され得ることを理解するであろう。ハードウェアおよびソフトウェアのこの互換性を明確に例示するために、多様な例示的なコンポーネント、ブロック、モジュール、回路、およびステップが、一般にそれらの機能の観点から上記で説明されている。このような機能が、ハードウェアとして実現されるか、あるいはソフトウェアとして実現されるかは、特定のアプリケーションおよびシステム全体に課せられる設計制約に依存する。当業者は、各々の特定のアプリケーションに関して、多様な方法で説明された機能を実現し得るが、このような実現の決定は、本開示の範囲からの逸脱を引き起こしていると解釈されるべきではない。
【０１０５】
[00127]  本明細書の開示に関連して説明された様々な説明のための論理ブロック、モジュール、および回路は、汎用プロセッサ、デジタル信号プロセッサ(ＤＳＰ)、特定用途向け集積回路(ＡＳＩＣ)、フィールドプログラマブルゲートアレイ(ＦＰＧＡ)、または他のプログラマブル論理デバイス、ディスクリートゲートあるいはトランジスタロジック、ディスクリートハードウェアコンポーネント、あるいは、本明細書で説明された機能を行うように設計されたそれら任意の組合せ、で実現または行われ得る。汎用プロセッサは、マイクロプロセッサであり得るが、代替的に、プロセッサは、任意の従来のプロセッサ、コントローラ、マイクロコントローラ、またはステートマシンであり得る。プロセッサはまた、コンピューティングデバイスの組合せ、例えば、ＤＳＰと、１つのマイクロプロセッサ、複数のマイクロプロセッサ、ＤＳＰコアに連結した１つまたは複数のマイクロプロセッサ、または任意の他のそのような構成との組合せとして実現され得る。
【０１０６】
[00128]  本明細書の開示に関して示される方法またはアルゴリズムのステップは、直接的にハードウェアに、プロセッサによって実行されるソフトウェアモジュールに、またはこれら二つの組合せで具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、あるいは当該技術で周知の任意の他の形態の記憶媒体内に存在し得る。例示的な記憶媒体は、プロセッサが記憶媒体から情報を読み出し、記憶媒体に情報を書き込むように、プロセッサに結合される。代替的に、記憶媒体は、プロセッサに一体化され得る。プロセッサおよび記憶媒体はＡＳＩＣに存在し得る。ＡＳＩＣは、ユーザ端末内に存在し得る。代替的に、プロセッサおよび記憶媒体は、ユーザ端末内のディスクリートコンポーネントとして存在し得る。
【０１０７】
[00129]  １つまたは複数の例示的な設計において、説明された機能は、ハードウェア、ソフトウェア、ファームウェア、またはそれらの任意の組合せで実現され得る。ソフトウェアで実現される場合、機能は、コンピュータ可読媒体において、１つまたは複数の命令またはコードとして、記憶または送信されることができる。コンピュータ可読媒体は、１つの場所から別の場所へのコンピュータプログラムの転送を促進する任意の媒体を含むコンピュータ記憶媒体および通信媒体の両方を含む。記憶媒体は、汎用または専用コンピュータによってアクセスされることができる任意の利用可能な媒体であり得る。例として、また限定されないが、コンピュータ可読媒体は、ＲＡＭ、ＲＯＭ、ＥＥＰＲＯＭ、ＣＤ−ＲＯＭまたは他の光学ディスクストレージ、磁気ディスクストレージあるいは他の磁気ストレージデバイス、または、命令あるいはデータストラクチャの形態において望まれるプログラムコード手段を記憶あるいは搬送するために使用されることができる、また、汎用または専用コンピュータ、または、汎用または専用プロセッサによってアクセスされることができる、任意の他の媒体も備えることができる。また、任意の接続は、厳密にはコンピュータ可読媒体と呼ばれる。例えば、ソフトウェアがウェブサイト、サーバ、また、同軸ケーブル、光ファイバーケーブル、ツイストペア(twisted pair)、デジタル加入者ライン(ＤＳＬ)、または赤外線、無線、およびマイクロ波のような無線技術を使用している他の遠隔ソース、から送信される場合には、同軸ケーブル、光ファイバーケーブル、ツイストペア、ＤＳＬ、または赤外線、無線、およびマイクロ波のような無線技術は、媒体の定義に含まれている。ディスク(disk)およびディスク(disc)は、本明細書で使用される場合、コンパクトディスク(ＣＤ)、レーザーディスク(登録商標)、光ディスク、デジタル多用途ディスク(ＤＶＤ)、フロッピー(登録商標)ディスク、およびブルーレイ(登録商標)ディスクを含み、ディスク(disk)が通常、磁気的にデータを再生する一方、ディスク(disc)は、レーザーを用いて光学的にデータを再生する。上記の組合せはまた、コンピュータ可読媒体の範囲内に含まれるべきである。
【０１０８】
[00130]  本開示の先の説明は、当業者が本開示を行ったり使用したりすることを可能にするために提供される。本開示に対する様々な変更は、当業者には容易に明らかであり、本明細書で定義された包括的な原理は、本開示の精神または範囲から逸脱することなく他の変形例に適用され得る。よって、本開示は、本明細書において説明される実例および設計に限定されるように意図されたものではなく、本明細書において開示された原理および新規の特徴と一致する最大範囲であると認められるべきである。
以下に本出願の当初の特許請求の範囲に記載された発明を付記する。
[Ｃ１]  ワイヤレス通信システムでのマルチメディアブロードキャストサービスをサポートする方法であって、
ブロードキャストデータおよびユニキャストデータを含むデータトラフィックを搬送できるキャリアを生成することと、ここにおいて前記キャリアは、既存のキャリアと後方互換性のないキャリアタイプを備える、
複数のサブフレームのうちの少なくとも１つのサブフレームにおいてブロードキャストデータを送信することと、
前記少なくとも１つのサブフレームと関連付けられた少なくともユニキャストデータに関する制御情報を提供することと、
前記キャリアを送信すること
を備える方法。
[Ｃ２]  前記キャリアを生成することは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むことをさらに備え、各ＭＢＳＦＮサブフレームは、マルチメディアブロードキャストマルチキャストサービス(ＭＢＭＳ)リソースまたは非ＭＢＭＳリソースの両方ではない少なくとも１つを備える、Ｃ１に記載の方法。
[Ｃ３]  制御情報を提供することは、クロスサブフレーム、マルチサブフレーム、またはクロスキャリアアップリンク(ＵＬ)スケジューリング情報を提供することをさらに備える、Ｃ２に記載の方法。
[Ｃ４]  前記ユニキャストデータは、アップリンク送信のためのものであり、前記少なくとも１つのサブフレームと前記ユニキャストデータの前記関連付けは、前記アップリンク送信のためのハイブリッドＡＲＱタイミング関係に基づく、Ｃ１に記載の方法。
[Ｃ５]  前記少なくとも１つのサブフレームにおけるＵＥのためのセミパーシステントスケジュールのリリースを指示する制御情報を提供することをさらに備える、Ｃ１に記載の方法。
[Ｃ６]  マルチメディアブロードキャストマルチキャストサービス(ＭＢＭＳ)のための制御チャネルを介して、ＭＣＣＨ変更通知メッセージを送信することをさらに備える、Ｃ１に記載の方法。
[Ｃ７]  前記キャリアを生成することは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むことをさらに備え、各ＭＢＳＦＮサブフレームは、前記ＭＢＳＦＮサブフレームの周波数ドメインにわたってマルチメディアブロードキャストマルチキャストサービス(ＭＢＭＳ)リソースと非ＭＢＭＳリソースとの両方を備え、制御情報を提供することは、前記制御情報を前記非ＭＢＭＳリソース内に配置することをさらに備える、Ｃ１に記載の方法。
[Ｃ８]  前記非ＭＢＭＳリソースを各々有する前記複数のＭＢＳＦＮサブフレームを含む前記キャリアを生成することは、各該当のＭＢＳＦＮサブフレーム内の前記非ＭＢＭＳリソースをローカライズすることか、各該当のＭＢＳＦＮサブフレーム内の前記非ＭＢＭＳリソースを分散することか、または両方の組合せをさらに備える、Ｃ７に記載の方法。
[Ｃ９]  前記非ＭＢＭＳリソースおよび前記ＭＢＭＳリソースを各々有する前記複数のＭＢＳＦＮサブフレームを含む前記キャリアを生成することは、前記非ＭＢＭＳリソースと前記ＭＢＭＳリソースとの間にガードバンドを含むことをさらに備える、Ｃ７に記載の方法。
[Ｃ１０]  前記キャリアを生成することは、物理マルチキャストチャネル(ＰＭＣＨ)において前記ブロードキャストデータを提供することをさらに備え、制御情報を提供することは、ＰＭＣＨ帯域幅またはＰＭＣＨロケーションのうちの少なくとも１つを指示することをさらに備える、Ｃ７に記載の方法。
[Ｃ１１]  前記ＰＭＣＨにおいて前記ブロードキャストデータを提供することは、固定されたロケーション、準静的なロケーション、または動的なロケーションのうちの１つにおいて、前記ＰＭＣＨを各該当のＭＢＳＦＮサブフレーム内に配置することをさらに備える、Ｃ１０に記載の方法。
[Ｃ１２]  各ＰＭＣＨの前記準静的なロケーションおよび前記動的なロケーションをサブフレームごとにバックホールシグナリングを介して調整することをさらに備える、Ｃ１１に記載の方法。
[Ｃ１３]  前記ＰＭＣＨ帯域幅または前記ＰＭＣＨロケーションのうちの少なくとも１つを指示することは、制御チャネルにおいて指示することをさらに備える、Ｃ１０に記載の方法。
[Ｃ１４]  前記キャリアを生成することは、第１のサイクリックプレフィックス(ＣＰ)および第１のトーン間隔を有する物理マルチキャストチャネル(ＰＭＣＨ)において前記ブロードキャストデータを提供することと、各ＭＢＳＦＮサブフレームの各非ＭＢＭＳリソースに第２のＣＰおよび第２のトーン間隔を提供することをさらに備え、前記第１のＣＰおよび前記第２のＣＰは、同じＣＰ値を備え、前記第１のトーン間隔および前記第２のトーン間隔は、同じトーン間隔値を備える、Ｃ７に記載の方法。
[Ｃ１５]  少なくとも１つのユーザ機器のための１セットのサブフレームに関するサイクリックプレフィックス(ＣＰ)タイプおよびトーン間隔のうちの少なくとも１つを指示することをさらに備え、前記ＣＰタイプおよび前記トーン間隔のうちの前記指示された少なくとも１つは、前記セットのサブフレームに属していないサブフレームのものとは異なる、Ｃ１に記載の方法。
[Ｃ１６]  第１のサブフレームにおいて前記ブロードキャストデータのための第１の帯域幅を決定することと、第２のサブフレームにおいて前記ブロードキャストデータのための、前記第１の帯域幅とは異なる第２の帯域幅を決定することをさらに備える、Ｃ１に記載の方法。
[Ｃ１７]  前記キャリアを生成することは、第１のサイクリックプレフィックス(ＣＰ)および第１のトーン間隔を有する物理マルチキャストチャネル(ＰＭＣＨ)において前記ブロードキャストデータを提供することと、各ＭＢＳＦＮサブフレームの各非ＭＢＭＳリソースに第２のＣＰおよび第２のトーン間隔を提供することをさらに備え、前記第１のＣＰおよび前記第２のＣＰが異なるＣＰ値を備えるか、前記第１のトーン間隔および前記第２のトーン間隔が異なるトーン間隔値を備えるか、または両方の組合せである、Ｃ７に記載の方法。
[Ｃ１８]  前記キャリアを生成することは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むことをさらに備え、少なくとも１つのＭＢＳＦＮサブフレームは、前記少なくとも１つのＭＢＳＦＮサブフレームの時間ドメインにわたってマルチメディアブロードキャストマルチキャストサービス(ＭＢＭＳ)リソースと非ＭＢＭＳリソースとの両方を備え、制御情報を提供することは、前記制御情報を前記非ＭＢＭＳリソース内に配置することをさらに備える、Ｃ１に記載の方法。
[Ｃ１９]  前記ＭＢＭＳリソースと前記非ＭＢＭＳリソースとの両方を含む前記少なくとも１つのＭＢＳＦＮサブフレームを生成することは、前記少なくとも１つのＭＢＳＦＮサブフレームが共通基準信号(ＣＲＳ)または復調基準信号(ＤＭ−ＲＳ)をさらに含む場合に生成することをさらに備える、Ｃ１８に記載の方法。
[Ｃ２０]  前記キャリアを生成することは、各ＭＢＭＳリソースによって定義された物理マルチキャストチャネル(ＰＭＣＨ)において前記ブロードキャストデータを提供することと、ここで前記ＰＭＣＨは第１のサイクリックプレフィックス(ＣＰ)および第１のトーン間隔を有する、各対応する非ＭＢＭＳリソースに第２のＣＰおよび第２のトーン間隔を提供することをさらに備える、前記第１のＣＰおよび前記第２のＣＰ、または前記第１のトーン間隔および前記第２のトーン間隔のうちの少なくとも１つは異なる値を備える、Ｃ１８に記載の方法。
[Ｃ２１]  後方互換性のない前記キャリアタイプの前記キャリアを生成することは、後方互換性のあるキャリアと関連付けられた拡張キャリアを生成することをさらに備える、Ｃ１に記載の方法。
[Ｃ２２]  後方互換性のない前記キャリアタイプの前記キャリアを生成することは、独立型キャリアを備える拡張キャリアを生成することをさらに備える、Ｃ１に記載の方法。
[Ｃ２３]  前記既存のキャリアは、セル固有基準信号を備える、Ｃ１に記載の方法。
[Ｃ２４]  ワイヤレス通信システムでのマルチメディアブロードキャストサービスをサポートする装置であって、
少なくとも１つのプロセッサと、
前記少なくとも１つのプロセッサに結合されるメモリと、
を備え、
前記少なくとも１つのプロセッサは、
ブロードキャストデータおよびユニキャストデータを含むデータトラフィックを搬送できるキャリアを生成し、ここにおいて前記キャリアは、既存のキャリアと後方互換性のないキャリアタイプを備える、
複数のサブフレームのうちの少なくとも１つのサブフレームにおいてブロードキャストデータを送信し、
前記少なくとも１つのサブフレームと関連付けられた少なくともユニキャストデータに関する制御情報を提供し、
前記キャリアを送信する
ように構成される、装置。
[Ｃ２５]  前記キャリアを生成するように構成された前記少なくとも１つのプロセッサは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むようにさらに構成され、各ＭＢＳＦＮサブフレームは、マルチメディアブロードキャストマルチキャストサービス(ＭＢＭＳ)リソースまたは非ＭＢＭＳリソースの両方ではない少なくとも１つを備える、Ｃ２４に記載の装置。
[Ｃ２６]  制御情報を提供するように構成された前記少なくとも１つのプロセッサは、クロスサブフレーム、マルチサブフレーム、またはクロスキャリアアップリンク(ＵＬ)スケジューリング情報を提供するようにさらに構成される、Ｃ２５に記載の装置。
[Ｃ２７]  前記ユニキャストデータは、アップリンク送信のためのものであり、前記少なくとも１つのサブフレームと前記ユニキャストデータの前記関連付けは、前記アップリンク送信のためのハイブリッドＡＲＱタイミング関係に基づく、Ｃ２４に記載の装置。
[Ｃ２８]  前記少なくとも１つのプロセッサは、前記少なくとも１つのサブフレームにおけるＵＥのためのセミパーシステントスケジュールのリリースを指示する制御情報を提供するようにさらに構成される、Ｃ２４に記載の装置。
[Ｃ２９]  前記少なくとも１つのプロセッサは、マルチメディアブロードキャストマルチキャストサービス(ＭＢＭＳ)のための制御チャネルを介して、ＭＣＣＨ変更通知メッセージを送信するようにさらに構成される、Ｃ２４に記載の装置。
[Ｃ３０]  前記キャリアを生成するように構成された前記少なくとも１つのプロセッサは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むようにさらに構成され、各ＭＢＳＦＮサブフレームは、前記ＭＢＳＦＮサブフレームの周波数ドメインにわたってマルチメディアブロードキャストマルチキャストサービス(ＭＢＭＳ)リソースと非ＭＢＭＳリソースとの両方を備え、制御情報を提供することは、前記制御情報を前記非ＭＢＭＳリソース内に配置することをさらに備える、Ｃ２４に記載の装置。
[Ｃ３１]  前記非ＭＢＭＳリソースを各々有する前記複数のＭＢＳＦＮサブフレームを含む前記キャリアを生成するように構成された前記少なくとも１つのプロセッサは、各該当のＭＢＳＦＮサブフレーム内の前記非ＭＢＭＳリソースをローカライズするか、各該当のＭＢＳＦＮサブフレーム内の前記非ＭＢＭＳリソースを分散するか、または両方の組合せを行うようにさらに構成される、Ｃ３０に記載の装置。
[Ｃ３２]  前記非ＭＢＭＳリソースおよび前記ＭＢＭＳリソースを各々有する前記複数のＭＢＳＦＮサブフレームを含む前記キャリアを生成するように構成された前記少なくとも１つのプロセッサは、前記非ＭＢＭＳリソースと前記ＭＢＭＳリソースとの間にガードバンドを含むようにさらに構成される、Ｃ３０に記載の装置。
[Ｃ３３]  前記キャリアを生成するように構成された前記少なくとも１つのプロセッサは、物理マルチキャストチャネル(ＰＭＣＨ)において前記ブロードキャストデータを提供するようにさらに構成され、制御情報を提供するように構成された前記少なくとも１つのプロセッサは、ＰＭＣＨ帯域幅またはＰＭＣＨロケーションのうちの少なくとも１つを指示するようにさらに構成される、Ｃ３０に記載の装置。
[Ｃ３４]  前記ＰＭＣＨにおいて前記ブロードキャストデータを提供するように構成された前記少なくとも１つのプロセッサは、固定されたロケーション、準静的なロケーション、または動的なロケーションのうちの１つにおいて、前記ＰＭＣＨを各該当のＭＢＳＦＮサブフレーム内に配置するようにさらに構成される、Ｃ３３に記載の装置。
[Ｃ３５]  前記少なくとも１つのプロセッサは、各ＰＭＣＨの前記準静的なロケーションおよび前記動的なロケーションをサブフレームごとにバックホールシグナリングを介して調整するようにさらに構成される、Ｃ３４に記載の装置。
[Ｃ３６]  前記ＰＭＣＨ帯域幅または前記ＰＭＣＨロケーションのうちの少なくとも１つを指示するように構成された前記少なくとも１つのプロセッサは、制御チャネルにおいて前記ＰＭＣＨ帯域幅または前記ＰＭＣＨロケーションのうちの少なくとも１つを指示するようにさらに構成される、Ｃ３３に記載の装置。
[Ｃ３７]  前記キャリアを生成するように構成された前記少なくとも１つのプロセッサは、第１のサイクリックプレフィックス(ＣＰ)および第１のトーン間隔を有する物理マルチキャストチャネル(ＰＭＣＨ)において前記ブロードキャストデータを提供し、各ＭＢＳＦＮサブフレームの各非ＭＢＭＳリソースに第２のＣＰおよび第２のトーン間隔を提供するようにさらに構成され、前記第１のＣＰおよび前記第２のＣＰは、同じＣＰ値を備え、前記第１のトーン間隔および前記第２のトーン間隔は、同じトーン間隔値を備える、Ｃ３０に記載の装置。
[Ｃ３８]  前記少なくとも１つのプロセッサは、少なくとも１つのユーザ機器のための１セットのサブフレームに関するサイクリックプレフィックス(ＣＰ)タイプおよびトーン間隔のうちの少なくとも１つを指示するようにさらに構成され、前記ＣＰタイプおよび前記トーン間隔のうちの前記指示された少なくとも１つは、前記セットのサブフレームに属していないサブフレームのものとは異なる、Ｃ２４に記載の装置。
[Ｃ３９]  前記少なくとも１つのプロセッサは、第１のサブフレームにおいて前記ブロードキャストデータのための第１の帯域幅を決定し、第２のサブフレームにおいて前記ブロードキャストデータのための、前記第１の帯域幅とは異なる第２の帯域幅を決定するようにさらに構成される、Ｃ２４に記載の装置。
[Ｃ４０]  前記キャリアを生成するように構成された前記少なくとも１つのプロセッサは、第１のサイクリックプレフィックス(ＣＰ)および第１のトーン間隔を有する物理マルチキャストチャネル(ＰＭＣＨ)において前記ブロードキャストデータを提供し、各ＭＢＳＦＮサブフレームの各非ＭＢＭＳリソースに第２のＣＰおよび第２のトーン間隔を提供するようにさらに構成され、前記第１のＣＰおよび前記第２のＣＰが異なるＣＰ値を備えるか、前記第１のトーン間隔および前記第２のトーン間隔が異なるトーン間隔値を備えるか、または両方の組合せである、Ｃ３０に記載の装置。
[Ｃ４１]  前記キャリアを生成するように構成された前記少なくとも１つのプロセッサは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むようにさらに構成され、少なくとも１つのＭＢＳＦＮサブフレームは、前記少なくとも１つのＭＢＳＦＮサブフレームの時間ドメインにわたってマルチメディアブロードキャストマルチキャストサービス(ＭＢＭＳ)リソースと非ＭＢＭＳリソースとの両方を備え、制御情報を提供するように構成された前記少なくとも１つのプロセッサは、前記制御情報を前記非ＭＢＭＳリソース内に配置するようにさらに構成される、Ｃ２４に記載の装置。
[Ｃ４２]  前記ＭＢＭＳリソースと前記非ＭＢＭＳリソースとの両方を含む前記少なくとも１つのＭＢＳＦＮサブフレームを生成するように構成された前記少なくとも１つのプロセッサは、前記少なくとも１つのＭＢＳＦＮサブフレームが共通基準信号(ＣＲＳ)または復調基準信号(ＤＭ−ＲＳ)を含む場合に生成するようにさらに構成される、Ｃ４１に記載の装置。
[Ｃ４３]  前記キャリアを生成するように構成された前記少なくとも１つのプロセッサは、各ＭＢＭＳリソースによって定義された物理マルチキャストチャネル(ＰＭＣＨ)において前記ブロードキャストデータを提供し、ここで、前記ＰＭＣＨは、第１のサイクリックプレフィックス(ＣＰ)および第１のトーン間隔を有する、各対応する非ＭＢＭＳリソースに第２のＣＰおよび第２のトーン間隔を提供するようにさらに構成され、前記第１のＣＰおよび前記第２のＣＰ、または前記第１のトーン間隔および前記第２のトーン間隔のうちの少なくとも１つは、異なる値を備える、Ｃ４１に記載の装置。
[Ｃ４４]  後方互換性のない前記キャリアタイプの前記キャリアを生成するように構成された前記少なくとも１つのプロセッサは、後方互換性のあるキャリアと関連付けられた拡張キャリアを生成するようにさらに構成される、Ｃ２４に記載の装置。
[Ｃ４５]  後方互換性のない前記キャリアタイプの前記キャリアを生成するように構成された前記少なくとも１つのプロセッサは、独立型キャリアを備える拡張キャリアを生成するようにさらに構成される、Ｃ２４に記載の装置。
[Ｃ４６]  前記既存のキャリアは、セル固有基準信号を備える、Ｃ２４に記載の装置。
[Ｃ４７]  ワイヤレス通信システムでのマルチメディアブロードキャストサービスをサポートするためのコンピュータプログラム製品であって、
ブロードキャストデータおよびユニキャストデータを含むデータトラフィックを搬送できるキャリアを生成し、ここにおいて前記キャリアは、既存のキャリアと後方互換性のないキャリアタイプを備える、
複数のサブフレームのうちの少なくとも１つのサブフレームにおいてブロードキャストデータを送信し、
前記少なくとも１つのサブフレームと関連付けられた少なくともユニキャストデータに関する制御情報を提供し、
前記キャリアを送信する
ためのコードを備える、非一時的コンピュータ可読媒体
を備える、コンピュータプログラム製品。
[Ｃ４８]  前記キャリアを生成するための前記コードは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むためのコードをさらに備え、各ＭＢＳＦＮサブフレームは、マルチメディアブロードキャストマルチキャストサービス(ＭＢＭＳ)リソースまたは非ＭＢＭＳリソースの両方ではない少なくとも１つを備える、Ｃ４７に記載のコンピュータプログラム製品。
[Ｃ４９]  制御情報を提供するためのコードは、クロスサブフレーム、マルチサブフレーム、またはクロスキャリアアップリンク(ＵＬ)スケジューリング情報を提供するためのコードをさらに備える、Ｃ４８に記載のコンピュータプログラム製品。
[Ｃ５０]  前記ユニキャストデータは、アップリンク送信のためのものであり、前記少なくとも１つのサブフレームと前記ユニキャストデータの前記関連付けは、前記アップリンク送信のためのハイブリッドＡＲＱタイミング関係に基づく、Ｃ４７に記載のコンピュータプログラム製品。
[Ｃ５１]  前記少なくとも１つのサブフレームにおけるＵＥのためのセミパーシステントスケジュールのリリースを指示する制御情報を提供するためのコードをさらに備える、Ｃ４７に記載のコンピュータプログラム製品。
[Ｃ５２]  マルチメディアブロードキャストマルチキャストサービス(ＭＢＭＳ)のための制御チャネルを介して、ＭＣＣＨ変更通知メッセージを送信するためのコードをさらに備える、Ｃ４７に記載のコンピュータプログラム製品。
[Ｃ５３]  前記キャリアを生成するためのコードは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むためのコードをさらに備え、各ＭＢＳＦＮサブフレームは、前記ＭＢＳＦＮサブフレームの周波数ドメインにわたってマルチメディアブロードキャストマルチキャストサービス(ＭＢＭＳ)リソースと非ＭＢＭＳリソースとの両方を備え、制御情報を提供するためのコードは、前記制御情報を前記非ＭＢＭＳリソース内に配置するためのコードをさらに備える、Ｃ４７に記載のコンピュータプログラム製品。
[Ｃ５４]  前記非ＭＢＭＳリソースを各々有する前記複数のＭＢＳＦＮサブフレームを含む前記キャリアを生成するためのコードは、各該当のＭＢＳＦＮサブフレーム内の前記非ＭＢＭＳリソースをローカライズするためのコードか、各該当のＭＢＳＦＮサブフレーム内の前記非ＭＢＭＳリソースを分散するためのコードか、または両方の組合せをさらに備える、Ｃ５３に記載のコンピュータプログラム製品。
[Ｃ５５]  前記非ＭＢＭＳリソースおよび前記ＭＢＭＳリソースを各々有する前記複数のＭＢＳＦＮサブフレームを含む前記キャリアを生成するためのコードは、前記非ＭＢＭＳリソースと前記ＭＢＭＳリソースとの間にガードバンドを含むためのコードをさらに備える、Ｃ５３に記載のコンピュータプログラム製品。
[Ｃ５６]  前記キャリアを生成するためのコードは、物理マルチキャストチャネル(ＰＭＣＨ)において前記ブロードキャストデータを提供するためのコードをさらに備え、制御情報を提供するためのコードは、ＰＭＣＨ帯域幅またはＰＭＣＨロケーションのうちの少なくとも１つを指示するためのコードをさらに備える、Ｃ５３に記載のコンピュータプログラム製品。
[Ｃ５７]  前記ＰＭＣＨにおいて前記ブロードキャストデータを提供するためのコードは、固定されたロケーション、準静的なロケーション、または動的なロケーションのうちの１つにおいて、前記ＰＭＣＨを各該当のＭＢＳＦＮサブフレーム内に配置するためのコードをさらに備える、Ｃ５６に記載のコンピュータプログラム製品。
[Ｃ５８]  各ＰＭＣＨの前記準静的なロケーションおよび前記動的なロケーションをサブフレームごとにバックホールシグナリングを介して調整するためのコードをさらに備える、Ｃ５７に記載のコンピュータプログラム製品。
[Ｃ５９]  前記ＰＭＣＨ帯域幅または前記ＰＭＣＨロケーションのうちの少なくとも１つを指示するためのコードは、制御チャネルにおいて指示するためのコードをさらに備える、Ｃ５６に記載のコンピュータプログラム製品。
[Ｃ６０]  前記キャリアを生成するためのコードは、第１のサイクリックプレフィックス(ＣＰ)および第１のトーン間隔を有する物理マルチキャストチャネル(ＰＭＣＨ)において前記ブロードキャストデータを提供するためのコードと、各ＭＢＳＦＮサブフレームの各非ＭＢＭＳリソースに第２のＣＰおよび第２のトーン間隔を提供するためのコードをさらに備え、前記第１のＣＰおよび前記第２のＣＰは、同じＣＰ値を備え、前記第１のトーン間隔および前記第２のトーン間隔は、同じトーン間隔値を備える、Ｃ５３に記載のコンピュータプログラム製品。
[Ｃ６１]  少なくとも１つのユーザ機器のための１セットのサブフレームに関するサイクリックプレフィックス(ＣＰ)タイプおよびトーン間隔のうちの少なくとも１つを指示するためのコードをさらに備え、前記ＣＰタイプおよび前記トーン間隔のうちの前記指示された少なくとも１つは、前記セットのサブフレームに属していないサブフレームのものとは異なる、Ｃ４７に記載のコンピュータプログラム製品。
[Ｃ６２]  第１のサブフレームにおいて前記ブロードキャストデータのための第１の帯域幅を決定し、第２のサブフレームにおいて前記ブロードキャストデータのための、前記第１の帯域幅とは異なる第２の帯域幅を決定するためのコードをさらに備える、Ｃ４７に記載のコンピュータプログラム製品。
[Ｃ６３]  前記キャリアを生成するためのコードは、第１のサイクリックプレフィックス(ＣＰ)および第１のトーン間隔を有する物理マルチキャストチャネル(ＰＭＣＨ)において前記ブロードキャストデータを提供するためのコードと、各ＭＢＳＦＮサブフレームの各非ＭＢＭＳリソースに第２のＣＰおよび第２のトーン間隔を提供するためのコードをさらに備え、前記第１のＣＰおよび前記第２のＣＰが異なるＣＰ値を備えるか、前記第１のトーン間隔および前記第２のトーン間隔が異なるトーン間隔値を備えるか、または両方の組合せである、Ｃ５３に記載のコンピュータプログラム製品。
[Ｃ６４]  前記キャリアを生成するためのコードは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むためのコードをさらに備え、少なくとも１つのＭＢＳＦＮサブフレームは、前記少なくとも１つのＭＢＳＦＮサブフレームの時間ドメインにわたってマルチメディアブロードキャストマルチキャストサービス(ＭＢＭＳ)リソースと非ＭＢＭＳリソースとの両方を備え、制御情報を提供するためのコードは、前記制御情報を前記非ＭＢＭＳリソース内に配置するためのコードをさらに備える、Ｃ４７に記載のコンピュータプログラム製品。
[Ｃ６５]  前記ＭＢＭＳリソースと前記非ＭＢＭＳリソースとの両方を含む前記少なくとも１つのＭＢＳＦＮサブフレームを生成するためのコードは、前記少なくとも１つのＭＢＳＦＮサブフレームが共通基準信号(ＣＲＳ)または復調基準信号(ＤＭ−ＲＳ)をさらに含む場合に生成するためのコードをさらに備える、Ｃ６４に記載のコンピュータプログラム製品。
[Ｃ６６]  前記キャリアを生成するためのコードは、各ＭＢＭＳリソースによって定義された物理マルチキャストチャネル(ＰＭＣＨ)において前記ブロードキャストデータを提供するためのコードと、ここで、前記ＰＭＣＨは、第１のサイクリックプレフィックス(ＣＰ)および第１のトーン間隔を有する、各対応する非ＭＢＭＳリソースに第２のＣＰおよび第２のトーン間隔を提供するためのコードをさらに備え、前記第１のＣＰおよび前記第２のＣＰ、または前記第１のトーン間隔および前記第２のトーン間隔のうちの少なくとも１つは、異なる値を備える、Ｃ６４に記載のコンピュータプログラム製品。
[Ｃ６７]  後方互換性のない前記キャリアタイプの前記キャリアを生成するためのコードは、後方互換性のあるキャリアと関連付けられた拡張キャリアを生成するためのコードをさらに備える、Ｃ４７に記載のコンピュータプログラム製品。
[Ｃ６８]  後方互換性のない前記キャリアタイプの前記キャリアを生成するためのコードは、独立型キャリアを備える拡張キャリアを生成するためのコードをさらに備える、Ｃ４７に記載のコンピュータプログラム製品。
[Ｃ６９]  前記既存のキャリアは、セル固有基準信号を備える、Ｃ４７に記載のコンピュータプログラム製品。
[Ｃ７０]  ワイヤレス通信システムでのマルチメディアブロードキャストサービスをサポートするための装置であって、
ブロードキャストデータおよびユニキャストデータを含むデータトラフィックを搬送できるキャリアを生成するための手段と、ここにおいて前記キャリアは、既存のキャリアと後方互換性のないキャリアタイプを備える、
複数のサブフレームのうちの少なくとも１つのサブフレームにおいてブロードキャストデータを送信するための手段と、
前記少なくとも１つのサブフレームと関連付けられた少なくともユニキャストデータに関する制御情報を提供するための手段と、
前記キャリアを送信するための手段
を備える装置。
[Ｃ７１]  前記キャリアを生成するための前記手段は、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むための手段をさらに備え、各ＭＢＳＦＮサブフレームは、マルチメディアブロードキャストマルチキャストサービス(ＭＢＭＳ)リソースまたは非ＭＢＭＳリソースの両方ではない少なくとも１つを備える、Ｃ７０に記載の装置。
[Ｃ７２]  制御情報を提供するための手段は、クロスサブフレーム、マルチサブフレーム、またはクロスキャリアアップリンク(ＵＬ)スケジューリング情報を提供するための手段をさらに備える、Ｃ７１に記載の装置。
[Ｃ７３]  前記ユニキャストデータは、アップリンク送信のためのものであり、前記少なくとも１つのサブフレームと前記ユニキャストデータの前記関連付けは、前記アップリンク送信のためのハイブリッドＡＲＱタイミング関係に基づく、Ｃ７０に記載の装置。
[Ｃ７４]  前記少なくとも１つのサブフレームにおけるＵＥのためのセミパーシステントスケジュールのリリースを指示する制御情報を提供するための手段をさらに備える、Ｃ７０に記載の装置。
[Ｃ７５]  マルチメディアブロードキャストマルチキャストサービス(ＭＢＭＳ)のための制御チャネルを介して、ＭＣＣＨ変更通知メッセージを送信するための手段をさらに備える、Ｃ７０に記載の装置。
[Ｃ７６]  前記キャリアを生成するための手段は、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むための手段をさらに備え、各ＭＢＳＦＮサブフレームは、前記ＭＢＳＦＮサブフレームの周波数ドメインにわたってマルチメディアブロードキャストマルチキャストサービス(ＭＢＭＳ)リソースと非ＭＢＭＳリソースとの両方を備え、制御情報を提供するための手段は、前記制御情報を前記非ＭＢＭＳリソース内に配置するための手段をさらに備える、Ｃ７０に記載の装置。
[Ｃ７７]  前記非ＭＢＭＳリソースを各々有する前記複数のＭＢＳＦＮサブフレームを含む前記キャリアを生成するための手段は、各該当のＭＢＳＦＮサブフレーム内の前記非ＭＢＭＳリソースをローカライズするための手段か、各該当のＭＢＳＦＮサブフレーム内の前記非ＭＢＭＳリソースを分散するための手段か、または両方の組合せをさらに備える、Ｃ７６に記載の装置。
[Ｃ７８]  前記非ＭＢＭＳリソースおよび前記ＭＢＭＳリソースを各々有する前記複数のＭＢＳＦＮサブフレームを含む前記キャリアを生成するための手段は、前記非ＭＢＭＳリソースと前記ＭＢＭＳリソースとの間にガードバンドを含むための手段をさらに備える、Ｃ７６に記載の装置。
[Ｃ７９]  前記キャリアを生成するための手段は、物理マルチキャストチャネル(ＰＭＣＨ)において前記ブロードキャストデータを提供するための手段をさらに備え、制御情報を提供するための手段は、ＰＭＣＨ帯域幅またはＰＭＣＨロケーションのうちの少なくとも１つを指示するための手段をさらに備える、Ｃ７６に記載の装置。
[Ｃ８０]  前記ＰＭＣＨにおいて前記ブロードキャストデータを提供するための手段は、固定されたロケーション、準静的なロケーション、または動的なロケーションのうちの１つにおいて、前記ＰＭＣＨを各該当のＭＢＳＦＮサブフレーム内に配置するための手段をさらに備える、Ｃ７９に記載の装置。
[Ｃ８１]  各ＰＭＣＨの前記準静的なロケーションおよび前記動的なロケーションをサブフレームごとにバックホールシグナリングを介して調整するための手段をさらに備える、Ｃ８０に記載の装置。
[Ｃ８２]  前記ＰＭＣＨ帯域幅または前記ＰＭＣＨロケーションのうちの少なくとも１つを指示するための手段は、制御チャネルにおいて 指示するための手段をさらに備える、Ｃ７９に記載の装置。
[Ｃ８３]  前記キャリアを生成するための手段は、第１のサイクリックプレフィックス(ＣＰ)および第１のトーン間隔を有する物理マルチキャストチャネル(ＰＭＣＨ)において前記ブロードキャストデータを提供するための手段と、各ＭＢＳＦＮサブフレームの各非ＭＢＭＳリソースに第２のＣＰおよび第２のトーン間隔を提供するための手段をさらに備え、前記第１のＣＰおよび前記第２のＣＰは、同じＣＰ値を備え、前記第１のトーン間隔および前記第２のトーン間隔は、同じトーン間隔値を備える、Ｃ７６に記載の装置。
[Ｃ８４]  少なくとも１つのユーザ機器のための１セットのサブフレームに関するサイクリックプレフィックス(ＣＰ)タイプおよびトーン間隔のうちの少なくとも１つを指示するための手段をさらに備え、前記ＣＰタイプおよび前記トーン間隔のうちの前記指示された少なくとも１つは、前記セットのサブフレームに属していないサブフレームのものとは異なる、Ｃ７０に記載の装置。
[Ｃ８５]  第１のサブフレームにおいて前記ブロードキャストデータのための第１の帯域幅を決定し、第２のサブフレームにおいて前記ブロードキャストデータのための、前記第１の帯域幅とは異なる第２の帯域幅を決定するための手段をさらに備える、Ｃ７０に記載の装置。
[Ｃ８６]  前記キャリアを生成するための手段は、第１のサイクリックプレフィックス(ＣＰ)および第１のトーン間隔を有する物理マルチキャストチャネル(ＰＭＣＨ)において前記ブロードキャストデータを提供するための手段と、各ＭＢＳＦＮサブフレームの各非ＭＢＭＳリソースに第２のＣＰおよび第２のトーン間隔を提供するための手段をさらに備え、前記第１のＣＰおよび前記第２のＣＰが異なるＣＰ値を備えるか、前記第１のトーン間隔および前記第２のトーン間隔が異なるトーン間隔値を備えるか、または両方の組合せである、Ｃ７６に記載の装置。
[Ｃ８７]  前記キャリアを生成するための手段は、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むための手段をさらに備え、少なくとも１つのＭＢＳＦＮサブフレームは、前記少なくとも１つのＭＢＳＦＮサブフレームの時間ドメインにわたってマルチメディアブロードキャストマルチキャストサービス(ＭＢＭＳ)リソースと非ＭＢＭＳリソースとの両方を備え、制御情報を提供するための手段は、前記制御情報を前記非ＭＢＭＳリソース内に配置するための手段をさらに備える、Ｃ７０に記載の装置。
[Ｃ８８]  前記ＭＢＭＳリソースと前記非ＭＢＭＳリソースとの両方を含む前記少なくとも１つのＭＢＳＦＮサブフレームを生成するための手段は、前記少なくとも１つのＭＢＳＦＮサブフレームが共通基準信号(ＣＲＳ)または復調基準信号(ＤＭ−ＲＳ)をさらに含む場合に生成するための手段をさらに備える、Ｃ８７に記載の装置。
[Ｃ８９]  前記キャリアを生成するための手段は、各ＭＢＭＳリソースによって定義された物理マルチキャストチャネル(ＰＭＣＨ)において前記ブロードキャストデータを提供するための手段と、ここで、前記ＰＭＣＨは、第１のサイクリックプレフィックス(ＣＰ)および第１のトーン間隔を有する、各対応する非ＭＢＭＳリソースに第２のＣＰおよび第２のトーン間隔を提供するための手段をさらに備え、前記第１のＣＰおよび前記第２のＣＰ、または前記第１のトーン間隔および前記第２のトーン間隔のうちの少なくとも１つは、異なる値を備える、Ｃ８７に記載の装置。
[Ｃ９０]  後方互換性のない前記キャリアタイプの前記キャリアを生成するための手段は、後方互換性のあるキャリアと関連付けられた拡張キャリアを生成するための手段をさらに備える、Ｃ７０に記載の装置。
[Ｃ９１]  後方互換性のない前記キャリアタイプの前記キャリアを生成するための手段は、独立型キャリアを備える拡張キャリアを生成するための手段をさらに備える、Ｃ７０に記載の装置。
[Ｃ９２]  前記既存のキャリアは、セル固有基準信号を備える、Ｃ７０に記載の装置。
【図１】
0006377701.tif 000002
【図２】
0006377701.tif 000003
【図３】
0006377701.tif 000004
【図４Ａ】
0006377701.tif 000005
【図４Ｂ】
0006377701.tif 000006
【図５】
0006377701.tif 000007
【図６】
0006377701.tif 000008
【図７】
0006377701.tif 000009
【図８】
0006377701.tif 000010
【図９】
0006377701.tif 000011
【図１０】
0006377701.tif 000012
【図１１】
0006377701.tif 000013
【図１２】
0006377701.tif 000014
【図１３】
0006377701.tif 000015
【図１４】
0006377701.tif 000016
【図１５】
0006377701.tif 000017
【図１６】
0006377701.tif 000018
【図１７】
0006377701.tif 000019
【図１８】
0006377701.tif 000020
【図１９】
0006377701.tif 000021